(57)【要約】【課題】営業開始直後のように思いがけないタイミングに自動収集処理が行われてしまい通常の入金処理や出金処理をしばらくの間行うことができなくなってしまうことを防止することができる貨幣処理装置、貨幣処理システムおよび貨幣処理方法を提供する。【解決手段】貨幣処理装置の制御部３００は、バラ貨幣収納部（例えば、金種別バラ紙幣収納部３４や収納繰出部１５２）におけるバラ貨幣の収納量が所定の包装処理開始量以上である場合にバラ貨幣収納部から包装貨幣作成部（例えば、帯封部４２や包装部１６０）にバラ貨幣を送って当該包装貨幣作成部で包装処理を行い、所定の条件が成立した場合にはバラ貨幣収納部におけるバラ貨幣の収納量が所定の包装処理開始量に達していなくてもバラ貨幣収納部から包装貨幣作成部にバラ貨幣を送って当該包装貨幣作成部で包装処理を行うよう各構成部材の制御を行う。【選択図】図９
2017129955.tif 000002
【特許請求の範囲】
【請求項１】
バラ貨幣を収納するとともに収納されているバラ貨幣を繰出可能なバラ貨幣収納部と、
前記バラ貨幣収納部から送られた複数のバラ貨幣を包装することにより包装貨幣を作成するような包装処理を行う包装貨幣作成部と、
前記バラ貨幣収納部におけるバラ貨幣の収納量が所定の包装処理開始量以上である場合に前記バラ貨幣収納部から前記包装貨幣作成部にバラ貨幣を送って当該包装貨幣作成部で前記包装処理を行い、所定の条件が成立した場合には前記バラ貨幣収納部におけるバラ貨幣の収納量が所定の包装処理開始量に達していなくても前記バラ貨幣収納部から前記包装貨幣作成部にバラ貨幣を送って当該包装貨幣作成部で前記包装処理を行うよう各構成部材の制御を行う制御部と、
を備えた、貨幣処理装置。
【請求項２】
前記所定の条件は、前記制御部が強制包装処理開始の指示を受け付けたときである、請求項１記載の貨幣処理装置。
【請求項３】
前記所定の条件は、前記制御部が営業時間終了を示す指示を受け付けたときである、請求項１記載の貨幣処理装置。
【請求項４】
前記所定の条件は、予め設定された所定の時刻となったときである、請求項１記載の貨幣処理装置。
【請求項５】
前記制御部は、前記バラ貨幣収納部におけるバラ貨幣の収納量が、前記所定の包装処理開始量よりも少ない第２包装処理開始量に達していない場合には前記所定の条件が成立しても前記バラ貨幣収納部から前記包装貨幣作成部にバラ貨幣を送らないよう各構成部材を制御する、請求項１乃至４のいずれか一項に記載の貨幣処理装置。
【請求項６】
前記包装処理開始量を設定するための設定手段を更に備えた、請求項１乃至５のいずれか一項に記載の貨幣処理装置。
【請求項７】
前記バラ貨幣収納部には、当該バラ貨幣収納部に収納されるバラ貨幣の量が前記包装処理開始量に達したときにこのことを検知する検知部が設けられている、請求項１乃至６のいずれか一項に記載の貨幣処理装置。
【請求項８】
前記バラ貨幣収納部には、当該バラ貨幣収納部に収納されるバラ貨幣の量が前記包装処理開始量に達したときにこのことを検知する検知部、および前記バラ貨幣収納部に収納されるバラ貨幣の量が前記第２包装処理開始量に達したときにこのことを検知する第２検知部がそれぞれ設けられている、請求項５記載の貨幣処理装置。
【請求項９】
バラ貨幣を収納するとともに収納されているバラ貨幣を繰出可能なバラ貨幣収納部、および前記バラ貨幣収納部から送られたバラ貨幣を包装することにより包装貨幣を作成するような包装処理を行う包装貨幣作成部を有する貨幣処理装置と、
前記貨幣処理装置とは別に設けられ、当該貨幣処理装置の管理を行う管理装置と、
を備えた貨幣処理システムであって、
前記貨幣処理装置において前記バラ貨幣収納部におけるバラ貨幣の収納量が所定の包装処理開始量以上である場合に前記バラ貨幣収納部から前記包装貨幣作成部にバラ貨幣を送って当該包装貨幣作成部で前記包装処理を行い、所定の条件が成立した場合には前記貨幣処理装置において前記バラ貨幣収納部におけるバラ貨幣の収納量が所定の包装処理開始量に達していなくても前記バラ貨幣収納部から前記包装貨幣作成部にバラ貨幣を送って当該包装貨幣作成部で前記包装処理を行うよう前記貨幣処理装置の各構成部材の制御を行う制御部を備えた、貨幣処理システム。
【請求項１０】
前記制御部は前記管理装置に設けられている、請求項９記載の貨幣処理システム。
【請求項１１】
バラ貨幣収納部におけるバラ貨幣の収納量が所定の包装処理開始量以上である場合に前記バラ貨幣収納部から包装貨幣作成部にバラ貨幣を送る工程と、
前記包装貨幣作成部において前記バラ貨幣収納部から送られたバラ貨幣を包装することにより包装貨幣を作成するような包装処理を行う工程と、
を備え、
所定の条件が成立した場合には前記バラ貨幣収納部におけるバラ貨幣の収納量が所定の包装処理開始量に達していなくても前記バラ貨幣収納部から前記包装貨幣作成部にバラ貨幣を送って当該包装貨幣作成部で前記包装処理を行う、貨幣処理方法。
【発明の詳細な説明】
【技術分野】
【０００１】
本発明は、バラ紙幣やバラ硬貨等からなるバラ貨幣をバラ貨幣収納部から繰り出して包装貨幣作成部に送り、当該包装貨幣作成部においてバラ貨幣を包装することにより包装貨幣を作成するような包装処理を行う貨幣処理装置、このような貨幣処理装置を備えた貨幣処理システムおよびこのような貨幣処理装置による貨幣処理方法に関する。
【背景技術】
【０００２】
バラ紙幣やバラ硬貨等からなるバラ貨幣を筐体の外部から内部に取り込んでバラ貨幣収納部に収納させるような入金処理を行うとともに、筐体の外部から内部に取り込まれたバラ貨幣やバラ貨幣収納部から繰り出されたバラ貨幣を包装貨幣作成部に送り、当該包装貨幣作成部においてバラ貨幣を包装することにより包装貨幣を作成するような包装処理を行う貨幣処理装置として従来から様々なタイプのものが知られている（例えば、特許文献１等参照）。特許文献１に開示される貨幣処理装置では、バラ硬貨収納部に収納されているバラ硬貨の収納枚数が自動収集開始枚数に達すると、バラ硬貨収納部からバラ硬貨を自動的に繰り出して包装貨幣作成部に送り、当該包装貨幣作成部において複数（例えば、５０枚）のバラ硬貨を包装することにより包装硬貨を作成した後、作成された包装硬貨を包装硬貨収納部に収納させる処理（自動収集処理）を行うようになっている。なお、このような自動収集処理は通常の入金処理や出金処理と並行して行うことができない。また、バラ硬貨収納部に収納されているバラ硬貨の収納枚数が自動収集終了枚数を下回ると、バラ硬貨収納部からバラ硬貨を包装貨幣作成部に送って当該包装貨幣作成部で包装硬貨を作成するような動作が終了する。
【先行技術文献】
【特許文献】
【０００３】
【特許文献１】特許第４６５４０４８号
【発明の概要】
【発明が解決しようとする課題】
【０００４】
特許文献１に開示されるような従来の貨幣処理装置では、当該貨幣処理装置が設置されている店舗等の営業終了時点で、あるバラ硬貨収納部に収納されているバラ硬貨の枚数が自動収集開始枚数よりもわずかに少ない場合には自動収集処理が実行されない。しかしながら、このような場合において次の日の営業開始直後にバラ硬貨の入金処理が行われてバラ硬貨収納部に収納されているバラ硬貨の枚数が自動収集開始枚数に達すると、自動収集処理が開始されることとなり、営業開始直後にもかかわらず通常の入金処理や出金処理をしばらくの間行うことができなくなってしまい、その間操作者を待たせてしまうという問題がある。上述したように、自動収集処理を通常の入金処理や出金処理と並行して行うことができないからである。
【０００５】
本発明は、このような点を考慮してなされたものであり、次の日の営業開始直後のように思いがけないタイミングに自動収集処理（すなわち、バラ貨幣収納部から包装貨幣作成部にバラ貨幣を送って当該包装貨幣作成部で包装処理を行うような処理）が行われてしまい通常の入金処理や出金処理をしばらくの間行うことができなくなってしまうことを防止することができる貨幣処理装置、貨幣処理システムおよび貨幣処理方法を提供することを目的とする。
【課題を解決するための手段】
【０００６】
本発明の貨幣処理装置は、バラ貨幣を収納するとともに収納されているバラ貨幣を繰出可能なバラ貨幣収納部と、前記バラ貨幣収納部から送られた複数のバラ貨幣を包装することにより包装貨幣を作成するような包装処理を行う包装貨幣作成部と、前記バラ貨幣収納部におけるバラ貨幣の収納量が所定の包装処理開始量以上である場合に前記バラ貨幣収納部から前記包装貨幣作成部にバラ貨幣を送って当該包装貨幣作成部で前記包装処理を行い、所定の条件が成立した場合には前記バラ貨幣収納部におけるバラ貨幣の収納量が所定の包装処理開始量に達していなくても前記バラ貨幣収納部から前記包装貨幣作成部にバラ貨幣を送って当該包装貨幣作成部で前記包装処理を行うよう各構成部材の制御を行う制御部と、を備えたことを特徴とする。
【０００７】
このような貨幣処理装置によれば、所定の条件が成立した場合にはバラ貨幣収納部におけるバラ貨幣の収納量が所定の包装処理開始量に達していなくても自動収集処理（すなわち、バラ貨幣収納部から包装貨幣作成部にバラ貨幣を送って当該包装貨幣作成部で包装処理を行うような処理）を行うことにより、例えば営業時間外に自動収集処理を行うことができるようになるため、次の日の営業開始直後のように思いがけないタイミングに自動収集処理が行われてしまい通常の入金処理や出金処理をしばらくの間行うことができなくなってしまうことを防止することができる。
【０００８】
本発明の貨幣処理装置においては、前記所定の条件は、前記制御部が強制包装処理開始の指示を受け付けたときであってもよい。
【０００９】
あるいは、前記所定の条件は、前記制御部が営業時間終了を示す指示を受け付けたときであってもよい。
【００１０】
あるいは、前記所定の条件は、予め設定された所定の時刻となったときであってもよい。
【００１１】
本発明の貨幣処理装置においては、前記制御部は、前記バラ貨幣収納部におけるバラ貨幣の収納量が、前記所定の包装処理開始量よりも少ない第２包装処理開始量に達していない場合には前記所定の条件が成立しても前記バラ貨幣収納部から前記包装貨幣作成部にバラ貨幣を送らないよう各構成部材を制御するようになっていてもよい。
【００１２】
本発明の貨幣処理装置は、前記包装処理開始量を設定するための設定手段を更に備えていてもよい。
【００１３】
本発明の貨幣処理装置においては、前記バラ貨幣収納部には、当該バラ貨幣収納部に収納されるバラ貨幣の量が前記包装処理開始量に達したときにこのことを検知する検知部が設けられていてもよい。
【００１４】
本発明の貨幣処理装置においては、前記バラ貨幣収納部には、当該バラ貨幣収納部に収納されるバラ貨幣の量が前記包装処理開始量に達したときにこのことを検知する検知部、および前記バラ貨幣収納部に収納されるバラ貨幣の量が前記第２包装処理開始量に達したときにこのことを検知する第２検知部がそれぞれ設けられていてもよい。
【００１５】
本発明の貨幣処理システムは、バラ貨幣を収納するとともに収納されているバラ貨幣を繰出可能なバラ貨幣収納部、および前記バラ貨幣収納部から送られたバラ貨幣を包装することにより包装貨幣を作成するような包装処理を行う包装貨幣作成部を有する貨幣処理装置と、前記貨幣処理装置とは別に設けられ、当該貨幣処理装置の管理を行う管理装置と、を備えた貨幣処理システムであって、前記貨幣処理装置において前記バラ貨幣収納部におけるバラ貨幣の収納量が所定の包装処理開始量以上である場合に前記バラ貨幣収納部から前記包装貨幣作成部にバラ貨幣を送って当該包装貨幣作成部で前記包装処理を行い、所定の条件が成立した場合には前記貨幣処理装置において前記バラ貨幣収納部におけるバラ貨幣の収納量が所定の包装処理開始量に達していなくても前記バラ貨幣収納部から前記包装貨幣作成部にバラ貨幣を送って当該包装貨幣作成部で前記包装処理を行うよう前記貨幣処理装置の各構成部材の制御を行う制御部を備えたことを特徴とする。
【００１６】
このような貨幣処理システムによれば、所定の条件が成立した場合には貨幣処理装置においてバラ貨幣収納部におけるバラ貨幣の収納量が所定の包装処理開始量に達していなくても自動収集処理を行うことにより、例えば営業時間外に自動収集処理を行うことができるようになるため、次の日の営業開始直後のように思いがけないタイミングに自動収集処理が行われてしまい通常の入金処理や出金処理をしばらくの間行うことができなくなってしまうことを防止することができる。
【００１７】
本発明の貨幣処理システムにおいては、前記制御部は前記管理装置に設けられていてもよい。
【００１８】
本発明の貨幣処理方法は、バラ貨幣収納部におけるバラ貨幣の収納量が所定の包装処理開始量以上である場合に前記バラ貨幣収納部から包装貨幣作成部にバラ貨幣を送る工程と、前記包装貨幣作成部において前記バラ貨幣収納部から送られたバラ貨幣を包装することにより包装貨幣を作成するような包装処理を行う工程と、を備え、所定の条件が成立した場合には前記バラ貨幣収納部におけるバラ貨幣の収納量が所定の包装処理開始量に達していなくても前記バラ貨幣収納部から前記包装貨幣作成部にバラ貨幣を送って当該包装貨幣作成部で前記包装処理を行うことを特徴とする。
【００１９】
このような貨幣処理方法によれば、所定の条件が成立した場合にはバラ貨幣収納部におけるバラ貨幣の収納量が所定の包装処理開始量に達していなくても自動収集処理を行うことにより、例えば営業時間外に自動収集処理を行うことができるようになるため、次の日の営業開始直後のように思いがけないタイミングに自動収集処理が行われてしまい通常の入金処理や出金処理をしばらくの間行うことができなくなってしまうことを防止することができる。
【発明の効果】
【００２０】
本発明の貨幣処理装置、貨幣処理システムおよび貨幣処理方法によれば、営業開始直後のように思いがけないタイミングに自動収集処理が行われてしまい通常の入金処理や出金処理をしばらくの間行うことができなくなってしまうことを防止することができる。
【図面の簡単な説明】
【００２１】
【図１】本発明の実施の形態による貨幣入出金機の外観を示す斜視図である。
【図２】図１に示す貨幣入出金機における紙幣入出金装置を右側方から見たときの内部構成を概略的に示す概略構成図である。
【図３】図１に示す貨幣入出金機における硬貨入出金装置を正面側から見たときの内部構成を概略的に示す概略構成図である。
【図４】図３に示す硬貨入出金装置を左側方から見たときの内部構成を概略的に示す概略構成図である。
【図５】図３に示す硬貨入出金装置を右側方から見たときの内部構成を概略的に示す概略構成図である。
【図６】図３等に示す硬貨入出金装置における入金繰出部および入金搬送部を上方から見たときの構成を示す構成図である。
【図７】図３等に示す硬貨入出金装置における各構成部材間での硬貨の流れを示す説明図である。
【図８】図１に示す貨幣入出金機における制御系の構成を示す機能ブロック図である。
【図９】図１に示す貨幣入出金機の記憶部に記憶されている、各金種別バラ紙幣収納部や各収納繰出部に収納されるバラ紙幣やバラ硬貨の金種毎のニアフル枚数やニアエンプティ枚数等の情報を示す表である。
【図１０】図１に示す貨幣入出金機の紙幣入出金装置において自動収集処理が行われるときの動作を示すフローチャートである。
【図１１】（ａ）（ｂ）は、図１に示す貨幣入出金機の紙幣入出金装置において自動収集処理が行われるときのバラ紙幣や帯封紙幣の搬送経路の様々な例を示す図である。
【図１２】図１に示す貨幣入出金機の紙幣入出金装置において自動収集処理が行われる際に操作表示部に表示される画面を示す図である。
【図１３】変形例に係る紙幣入出金装置における金種別バラ紙幣収納部に設けられる各種センサの構成を示す構成図である。
【図１４】変形例に係る紙幣入出金装置において自動収集処理が行われるときの動作を示すフローチャートである。
【発明を実施するための形態】
【００２２】
以下、図面を参照して本発明の実施の形態について説明する。図１乃至図１４は、本実施の形態による貨幣入出金機を示す図である。このうち、図１は、本実施の形態による貨幣入出金機の外観を示す斜視図であり、図２は、図１に示す貨幣入出金機における紙幣入出金装置の内部構成を概略的に示す概略構成図である。また、図３乃至図５は、それぞれ、図１に示す貨幣入出金機における硬貨入出金装置を正面側、左側方および右側方から見たときの内部構成を概略的に示す概略構成図であり、図６は、図３等に示す硬貨入出金装置における入金繰出部および入金搬送部を上方から見たときの構成を示す構成図である。また、図７は、図３等に示す硬貨入出金装置における各構成部材間での硬貨の流れを示す説明図である。また、図８は、図１に示す貨幣入出金機における制御系の構成を示す機能ブロック図である。また、図９は、図１に示す貨幣入出金機の記憶部に記憶されている、各金種別バラ紙幣収納部や各収納繰出部に収納されるバラ紙幣やバラ硬貨の金種毎のニアフル枚数やニアエンプティ枚数等の情報を示す表である。また、図１０は、図１に示す貨幣入出金機の紙幣入出金装置において自動収集処理が行われるときの動作を示すフローチャートであり、図１１（ａ）および図１１（ｂ）は、それぞれ、図１に示す貨幣入出金機の紙幣入出金装置において自動収集処理が行われるときのバラ紙幣や帯封紙幣の搬送経路の様々な例を示す図である。また、図１２は、図１に示す貨幣入出金機の紙幣入出金装置において自動収集処理が行われる際に操作表示部に表示される画面を示す図である。また、図１３は、変形例に係る紙幣入出金装置における金種別バラ紙幣収納部に設けられる各種センサの構成を示す構成図である。また、図１４は、変形例に係る貨幣入出金機の紙幣入出金装置において自動収集処理が行われるときの動作を示すフローチャートである。
【００２３】
図１に示すように、本実施の形態による貨幣入出金機１は、紙幣入出金装置１０および硬貨入出金装置１１０が左右に並ぶよう配置されることにより構成されている。ここで、本実施の形態による貨幣入出金機１における紙幣入出金装置１０は、バラ紙幣の入金処理や出金処理を行うことができるとともに、機体内で所定枚数（例えば、１００枚）のバラ紙幣から帯封紙幣を作成したりこの作成された帯封紙幣の出金処理を行ったりすることができるようになっている。また、本実施の形態による貨幣入出金機１における硬貨入出金装置１１０は、バラ硬貨の入金処理や出金処理を行うことができるとともに、機体内で所定枚数（例えば、５０枚）のバラ硬貨に紙やフィルム等の包装媒体を巻くことにより包装硬貨を作成したりこの作成された包装硬貨の出金処理を行ったりすることができるようになっている。このような貨幣入出金機１は、例えば、銀行等の金融機関（より詳細には、金融機関の事務所スペース）に設置され、金融機関の行員等により利用されるようになっている。
【００２４】
本実施の形態による貨幣入出金機１における紙幣入出金装置１０の構成について図１および図２を用いて説明する。図１および図２に示すように、紙幣入出金装置１０は略直方体形状の筐体１２を有しており、この筐体１２の前面には、筐体１２の外部から内部にバラ紙幣を入金するための投入部１４、筐体１２の内部から外部にバラ紙幣を出金するためのバラ紙幣投出部２４、筐体１２の内部から外部に帯封紙幣を出金するための帯封紙幣投出部４８がそれぞれ設けられている。なお、図２における筐体１２の左側の側面が紙幣入出金装置１０の前面側（すなわち、図１に示すように紙幣入出金装置１０を手前側から見たときの正面側）となっており、図２における右方向が筐体１２の奥行き方向となっている。
【００２５】
図１に示すように、投入部１４の前面は筐体１２の外部に開口しており、操作者はこの開口を介して投入部１４の内部にアクセスする（具体的には、投入部１４の内部に手を入れる）ことができるようになっている。このことにより、操作者は投入部１４の内部にバラ紙幣の束を投入することができるようになる。
【００２６】
一方、バラ紙幣投出部２４および帯封紙幣投出部４８にはそれぞれシャッター２４ａ、４８ａが設けられており、これらのシャッター２４ａ、４８ａは、バラ紙幣投出部２４の前面に面する開口（すなわち、バラ紙幣の出金口）や帯封紙幣投出部４８の前面に面する開口（すなわち、帯封紙幣の出金口）をそれぞれ開閉するようになっている。そして、シャッター２４ａ、４８ａによりバラ紙幣投出部２４や帯封紙幣投出部４８の開口が開かれると、操作者はバラ紙幣投出部２４や帯封紙幣投出部４８の内部にそれぞれアクセスする（具体的には、バラ紙幣投出部２４や帯封紙幣投出部４８の内部に手を入れる）ことができるようになり、当該操作者はバラ紙幣投出部２４や帯封紙幣投出部４８に集積されているバラ紙幣や帯封紙幣を筐体１２の内部から外部に取り出すことができるようになる。これらのシャッター２４ａ、４８ａはシャッター駆動部２４ｂ、４８ｂ（図８参照）によりそれぞれ駆動されるようになっている。
【００２７】
なお、本実施の形態による紙幣入出金装置１０では、バラ紙幣投出部２４は、バラ紙幣の出金処理が行われる際にバラ紙幣を筐体１２の外部に排出するための出金部として機能するとともに、入金処理時に後述する識別部２０により識別することができなかったバラ紙幣や、識別部２０により正常なバラ紙幣ではないと識別されたバラ紙幣を筐体１２の外部に排出するための入金リジェクト部として機能するようになっている。
【００２８】
また、図２に示すように、筐体１２の前面におけるバラ紙幣投出部２４の下方には、紙幣入出金装置１０においてバラ紙幣の出金処理が行われる際にバラ紙幣投出部２４により筐体１２の外部に出金すべきではないと判断されたバラ紙幣が集積される出金リジェクト部２６が設けられている。出金リジェクト部２６の前面は筐体１２の外部に開口しておらず、操作者は筐体１２から紙幣入出金装置１０の本体部分を手前側に引き出さない限りこの出金リジェクト部２６にアクセスすることができないようになっている。
【００２９】
図２に示すように、投入部１４には、当該投入部１４に投入されたバラ紙幣を１枚ずつ筐体１２の内部に繰り出すための繰出部１６が設けられている。また、紙幣入出金装置１０の筐体１２の内部には、当該筐体１２内でバラ紙幣を１枚ずつ搬送する搬送部１８が設けられており、繰出部１６により投入部１４から繰り出されたバラ紙幣は搬送部１８により筐体１２内で搬送されるようになっている。また、搬送部１８には識別部２０が設けられており、搬送部１８により搬送されるバラ紙幣は識別部２０によりその金種、真偽、表裏、正損、新旧、搬送状態等が識別されるようになっている。また、搬送部１８には表裏反転部２２が設けられており、識別部２０により識別されたバラ紙幣は表裏反転部２２によりその表裏が揃うように反転させられるようになっている。
【００３０】
また、図２に示すように、搬送部１８には入金一時保留部３０、混合バラ紙幣収納部３２および複数（図２に示す例では３つ）の金種別バラ紙幣収納部３４がそれぞれ接続されており、搬送部１８からこれらの入金一時保留部３０、混合バラ紙幣収納部３２および各金種別バラ紙幣収納部３４にバラ紙幣が送られるようになっている。ここで、入金一時保留部３０、混合バラ紙幣収納部３２および各金種別バラ紙幣収納部３４にはそれぞれ図２における上下方向に移動可能となっているステージ３０ａ、３２ａ、３４ａが設けられており、これらのステージ３０ａ、３２ａ、３４ａ上でバラ紙幣が積層状態で集積されるようになっている。
【００３１】
また、混合バラ紙幣収納部３２の上端部の近傍には紙幣繰入部３２ｂが設けられており、搬送部１８からこの紙幣繰入部３２ｂにより混合バラ紙幣収納部３２にバラ紙幣が１枚ずつ繰り入れられるようになっている。ここで、混合バラ紙幣収納部３２には、各金種別バラ紙幣収納部３４に割り当てられていない金種のバラ紙幣（例えば、二千円紙幣）や損券、ならびに後述するオーバーフロー紙幣等が混合状態で収納されるようになっている。なお、本実施の形態では、混合バラ紙幣収納部３２に収納されているバラ紙幣を搬送部１８に繰り出すことができないようになっている。
【００３２】
また、各金種別バラ紙幣収納部３４の上端部の近傍にはそれぞれ紙幣繰出繰入部３４ｂが設けられており、各金種別バラ紙幣収納部３４に収納されているバラ紙幣は紙幣繰出繰入部３４ｂにより１枚ずつ搬送部１８に繰り出されるようになっている。バラ紙幣の出金処理が行われる際に、各金種別バラ紙幣収納部３４から搬送部１８に繰り出されたバラ紙幣が当該搬送部１８により識別部２０に送られ、識別部２０により識別された後にバラ紙幣投出部２４に送られることによって、操作者はバラ紙幣投出部２４から出金紙幣を取り出すことができるようになる。また、各紙幣繰出繰入部３４ｂにより搬送部１８から各金種別バラ紙幣収納部３４にバラ紙幣が１枚ずつ繰り入れられるようになっている。ここで、各金種別バラ紙幣収納部３４には、それぞれ予め設定された特定の金種のバラ紙幣（例えば、千円紙幣、五千円紙幣および一万円紙幣からなる３つの金種のバラ紙幣）が金種毎に収納されるようになっている。
【００３３】
図１および図２に示すように、筐体１２の下部には下部扉１２ａが設けられており、この下部扉１２ａを開くことにより操作者は入金一時保留部３０の内部にアクセスすることができるようになっている。また、入金一時保留部３０、混合バラ紙幣収納部３２および各金種別バラ紙幣収納部３４は、筐体１２の内部から手前側に（すなわち、図２における左方向に）引き出し可能となっている引出ユニット１３に収容されている。そして、操作者が下部扉１２ａを開いて引出ユニット１３を筐体１２の内部から手前側に引き出すことにより、当該操作者は混合バラ紙幣収納部３２や各金種別バラ紙幣収納部３４を引出ユニット１３から取り外したり引出ユニット１３に装着したりすることができるようになる。また、本実施の形態による紙幣入出金装置１０では、引出ユニット１３を筐体１２の内部にロックするためのロック機構５０（図８参照）が引出ユニット１３に設けられている。
【００３４】
また、図２に示すように、搬送部１８には複数（図２に示す例では２つ）の整理一時保留部４０が接続されており、当該搬送部１８から各整理一時保留部４０にバラ紙幣が送られるとこれらの整理一時保留部４０にバラ紙幣が積層状態で集積されるようになっている。また、本実施の形態による紙幣入出金装置１０では、所定枚数（例えば、１００枚）のバラ紙幣からなる紙幣束に帯封紙を巻くことにより帯封紙幣を作成する帯封部４２が各整理一時保留部４０の隣に設けられている。
【００３５】
また、図２に示すように、筐体１２の内部において帯封部４２の近傍にはアーム機構４４が設けられており、当該アーム機構４４は各整理一時保留部４０、帯封部４２および後述する帯封紙幣揚送部４６の間で移動可能となっている。このようなアーム機構４４は、各整理一時保留部４０に集積された所定枚数のバラ紙幣からなる紙幣束を帯封部４２に搬送するようになっている。また、帯封部４２において帯封処理が行われる際に、所定枚数のバラ紙幣からなる紙幣束を保持しているアーム機構４４はこの帯封部４２に移動し、当該帯封部４２においてアーム機構４４の上下一対のアーム部により挟持された状態にある紙幣束の外周面に帯封紙が巻かれるようになっている。また、帯封部４２において帯封処理が行われた後、アーム機構４４は帯封部４２から帯封紙幣揚送部４６に移動して、この帯封紙幣揚送部４６のステージ４６ａ（後述）上に帯封紙幣を受け渡すことができるようになっている。このような動作を繰り返すことにより、複数の帯封紙幣を帯封紙幣揚送部４６のステージ４６ａ上に集積させることができる。
【００３６】
帯封紙幣揚送部４６には、図２における上下方向に移動可能となっているステージ４６ａが設けられており、帯封部４２により作成された帯封紙幣がアーム機構４４からステージ４６ａ上に受け渡されると、当該ステージ４６ａ上に帯封紙幣が集積されるようになる。そして、アーム機構４４からステージ４６ａ上に１または複数の帯封紙幣が受け渡された後、ステージ４６ａが図２における上方向に移動することにより帯封紙幣投出部４８と同じ高さレベルに到達し、シャッター４８ａが開くと、操作者は帯封紙幣投出部４８の内部にアクセスしてステージ４６ａ上に集積されている帯封紙幣を筐体１２の外部に取り出すことができるようになる。また、ステージ４６ａが更に上昇すると、当該ステージ４６ａ上に集積されている帯封紙幣を後述する帯封紙幣搬送部６０に受け渡したり、帯封紙幣搬送部６０から帯封紙幣をステージ４６ａ上に集積させたりすることができるようになる。
【００３７】
図２に示すように、筐体１２の内部における上部領域には、複数（図２に示す例では４つ）の帯封紙幣収納部７０が設けられており、これらの帯封紙幣収納部７０には、帯封部４２により作成された帯封紙幣が積層状態で収納されるようになっている。具体的には、各帯封紙幣収納部７０には、それぞれ予め設定された特定の金種の帯封紙幣が収納されるようになっている。なお、予め設定された特定の金種の帯封紙幣が収納される帯封紙幣収納部７０が４つ設けられる代わりに、複数の帯封紙幣収納部７０のうち少なくとも１つの帯封紙幣収納部７０に金種が異なる帯封紙幣が混合状態で収納されるようになっていてもよい。
【００３８】
各帯封紙幣収納部７０の内部にはそれぞれ図２における上下方向に移動可能となっているステージ７０ａが設けられており、帯封紙幣収納部７０の上端部（天井部分）に設けられた開口（図示せず）からこれらの各帯封紙幣収納部７０に送られた帯封紙幣はステージ７０ａ上に積層状態で集積されるようになっている。また、各帯封紙幣収納部７０から帯封紙幣を出す場合には、ステージ７０ａが上昇することにより各帯封紙幣収納部７０の上端部（天井部分）に設けられた開口から帯封紙幣が上方に出されるようになる。
【００３９】
また、これらの各帯封紙幣収納部７０の上方には帯封紙幣の搬送を行う帯封紙幣搬送部６０が設けられている。帯封紙幣搬送部６０は、複数の突起６０ａが等間隔で設けられた循環ベルト６０ｂを有しており、この循環ベルト６０ｂは図２における時計回りの方向および反時計回りの方向の両方向に循環移動することができるようになっている。そして、帯封紙幣搬送部６０により帯封紙幣が搬送される際に、当該帯封紙幣は循環ベルト６０ｂの下面に沿って突起６０ａにより引っ掛けられた状態で図２における左右いずれかの方向に移動するようになる。また、図２に示すように、帯封紙幣搬送部６０による帯封紙幣の搬送路における帯封紙幣揚送部４６の上端と帯封紙幣収納部７０との間には判別部６２が設けられており、帯封紙幣搬送部６０により搬送される帯封紙幣は当該判別部６２によりその金種が判別されるようになっている。
【００４０】
ここで、帯封部４２により作成された帯封紙幣を各帯封紙幣収納部７０に収納させる際には、アーム機構４４から帯封紙幣が帯封紙幣揚送部４６のステージ４６ａ上に受け渡された後に当該ステージ４６ａが上昇して帯封紙幣搬送部６０の近傍の位置まで到達するようになる。また、循環ベルト６０ｂは図２における反時計回りの方向に循環移動する。このことにより、ステージ４６ａ上の帯封紙幣のうち最上位にある帯封紙幣が突起６０ａにより引っ掛けられて循環ベルト６０ｂの下面に沿って図２における右方向に搬送され、判別部６２によりその金種が判別された後、当該判別部６２による判別結果に基づいて対応する各帯封紙幣収納部７０に収納されるようになる。一方、各帯封紙幣収納部７０に収納されている帯封紙幣を帯封紙幣投出部４８により筐体１２の外部に出金する際には、循環ベルト６０ｂは図２における時計回りの方向に循環移動し、各帯封紙幣収納部７０から上方に押し出された最上位の帯封紙幣が突起６０ａにより引っ掛けられて循環ベルト６０ｂの下面に沿って図２における左方向に搬送されるようになる。また、ステージ４６ａが上昇して帯封紙幣搬送部６０の近傍の位置まで到達するようになる。そして、帯封紙幣搬送部６０により搬送される帯封紙幣の金種が判別部６２により判別された後、当該帯封紙幣はステージ４６ａ上に集積される。複数の帯封紙幣を出金する際には、帯封紙幣の送り込みに合わせてステージ４６ａが所定量（具体的には、帯封紙幣の厚み寸法相当）ずつ下降する。ステージ４６ａ上に所定の数の帯封紙幣が集積されると当該ステージ４６ａが帯封紙幣投出部４８と同じ高さレベルまで下降し、シャッター４８ａが開くようになる。
【００４１】
次に、本実施の形態による貨幣入出金機１における硬貨入出金装置１１０の構成について図１および図３乃至図７を用いて説明する。図１および図３乃至図７に示すように、本実施の形態による硬貨入出金装置１１０は、略直方体形状の筐体１１２と、筐体１１２の上面に設けられた硬貨投入口１２１に投入されたバラ硬貨を筐体１１２の内部に繰り出す入金繰出部１２０と、入金繰出部１２０により繰り出されたバラ硬貨を搬送する入金搬送部１２８と、入金搬送部１２８により搬送されるバラ硬貨を識別する入金識別部１２９とを備えている。また、図６に示すように、入金搬送部１２８には、入金識別部１２９により正常な硬貨ではないと識別されたバラ硬貨や入金識別部１２９により識別することができなかったバラ硬貨をリジェクト硬貨として選別するリジェクト選別部１３０、入金識別部１２９により特定の任意の金種の硬貨であると識別されたバラ硬貨を選別する任意選別部１３４、および入金識別部１２９により各々の金種の硬貨であると識別されたバラ硬貨を選別する複数の金種別選別部１３６がそれぞれ設けられている。また、筐体１１２の内部には、任意選別部１３４や各金種別選別部１３６により選別されたバラ硬貨を金種毎に一時的に保留する入金一時保留部１４０、および入金一時保留部１４０から送られたバラ硬貨を金種毎に収納するとともに収納されているバラ硬貨を繰り出すことができる複数の収納繰出部１５２がそれぞれ設けられている。また、筐体１１２の内部には、任意選別部１３４により選別されたバラ硬貨を紙やフィルム等の包装媒体により包装することによって包装硬貨を作成する包装部１６０、包装部１６０により作成された包装媒体を収納する包装硬貨収納ユニット２００および包装部１６０により作成された包装媒体を筐体１１２の内部で搬送する包装硬貨搬送ユニット２１０がそれぞれ設けられている。このような硬貨入出金装置１１０の各構成部材の詳細について以下に説明する。
【００４２】
図３、図４および図６に示すように、入金繰出部１２０は、筐体１１２の上面に設けられた硬貨投入口１２１に投入されたバラ硬貨を受け入れる供給円盤１２２と、この供給円盤１２２からバラ硬貨が適量ずつ供給される回転円盤１２４と、回転円盤１２４からバラ硬貨を１枚ずつ入金搬送部１２８に繰り出す繰出機構１２６とを有している。
【００４３】
図６に示すように、入金搬送部１２８は、入金繰出部１２０から繰り出されたバラ硬貨を搬送路に沿って搬送する搬送ベルトを有している。ここで、搬送ベルトとしては例えば入金搬送部１２８の搬送路に沿って移動する丸ベルトが用いられるようになっており、入金繰出部１２０から繰り出されたバラ硬貨は当該丸ベルトとの間で働く摩擦力により搬送路に沿って搬送されるようになっている。また、入金搬送部１２８には、当該入金搬送部１２８により搬送されるバラ硬貨の金種、真偽、正損、新旧、表裏、搬送状態等の識別を行う入金識別部１２９が設けられている。入金識別部１２９によるバラ硬貨の識別情報は後述する制御部３００に送られるようになっている。
【００４４】
また、図６に示すように、入金搬送部１２８には、入金識別部１２９により正常な硬貨ではないと識別されたバラ硬貨や入金識別部１２９により識別することができなかったバラ硬貨をリジェクト硬貨として選別するリジェクト選別部１３０が設けられている。また、図４に示すように、筐体１１２の内部には、リジェクト選別部１３０により選別されたリジェクト硬貨としてのバラ硬貨が集積される入金リジェクト部１３８、およびリジェクト選別部１３０から入金リジェクト部１３８にリジェクト硬貨としてのバラ硬貨を送る入金リジェクト用シュート１３１がそれぞれ設けられている。ここで、図１に示すように、操作者は筐体１１２の前面から入金リジェクト部１３８の内部にアクセス可能となっており、入金リジェクト部１３８に送られたリジェクト硬貨としてのバラ硬貨を操作者は筐体１１２の前面から取り出すことができるようになっている。
【００４５】
また、図６に示すように、入金搬送部１２８において、硬貨の搬送方向におけるリジェクト選別部１３０の下流側には、入金識別部１２９により特定の任意の金種の硬貨であると識別されたバラ硬貨を選別する任意選別部１３４が設けられている。ここで、任意選別部１３４により選別される特定の任意の金種の硬貨とは、例えばバラ硬貨の包装処理において包装部１６０によって包装媒体により包装されることにより包装硬貨とされるべきバラ硬貨や、特定の金種の硬貨の計数処理において袋装着部に装着される貯留袋１７５（図４において二点鎖線で表示）に送られるべきバラ硬貨のことをいう。
【００４６】
また、図６に示すように、入金搬送部１２８において、硬貨の搬送方向における任意選別部１３４の更に下流側には、入金識別部１２９により各々の金種の硬貨であると識別されたバラ硬貨を選別する複数の金種別選別部１３６が設けられている。具体的には、複数の金種別選別部１３６として、硬貨の搬送方向における上流側から順に、５円硬貨を選別する５円硬貨選別部１３６ａ、１円硬貨を選別する１円硬貨選別部１３６ｂ、５０円硬貨を選別する５０円硬貨選別部１３６ｃ、１００円硬貨を選別する１００円硬貨選別部１３６ｄ、１０円硬貨を選別する１０円硬貨選別部１３６ｅおよび５００円硬貨を選別する５００円硬貨選別部１３６ｆが設けられている。ここで、リジェクト選別部１３０、任意選別部１３４および５円硬貨選別部１３６ａは、ソレノイド等の電気的駆動機構によって強制的にバラ硬貨を分岐孔に落とし込ませるような構成となっている。一方、１円硬貨選別部１３６ｂ、５０円硬貨選別部１３６ｃ、１００円硬貨選別部１３６ｄおよび１０円硬貨選別部１３６ｅは、小径硬貨から大径硬貨の順にバラ硬貨を径の大きさで選別して該当する分岐孔に落とし込ませるような構成となっている。また、５００円硬貨選別部１３６ｆは、５円硬貨選別部１３６ａ、１円硬貨選別部１３６ｂ、５０円硬貨選別部１３６ｃ、１００円硬貨選別部１３６ｄおよび１０円硬貨選別部１３６ｅの各分岐孔に落とし込まれなかったバラ硬貨を５００円硬貨として当該５００円硬貨選別部１３６ｆに対応する分岐孔に落とし込ませるような構成となっている。
【００４７】
また、図３および図４に示すように、筐体１１２の内部において入金搬送部１２８の下方には入金一時保留部１４０が設けられている。入金一時保留部１４０は、任意選別部１３４により選別されたバラ硬貨が一時的に保留される任意一時保留部１４２と、各金種別選別部１３６により選別されたバラ硬貨が金種別に一時的に保留される金種別一時保留部１４４とを有している。ここで、任意一時保留部１４２は、その上部および底部が開口した枠体から構成されている。また、金種別一時保留部１４４は、５円、１円、５０円、１００円、１０円、５００円の各金種に対応する保留領域１４４ａ、１４４ｂ、１４４ｃ、１４４ｄ、１４４ｅ、１４４ｆに区画された、その上部および底部が開口した枠体から構成されている。また、任意一時保留部１４２および金種別一時保留部１４４は互いに連結されており、これらの任意一時保留部１４２および金種別一時保留部１４４は一体的に水平方向に移動するようになっている。また、任意一時保留部１４２や金種別一時保留部１４４の下方には板状の底部材１４６が設けられており、これらの任意一時保留部１４２や金種別一時保留部１４４の枠体の底部に設けられた開口が底部材１４６により選択的に閉止されるようになっている。また、図３および図４に示すように、入金一時保留部１４０は、任意一時保留部１４２および金種別一時保留部１４４を水平方向（具体的には、図３における左右方向）に移動させる第１駆動機構１４５と、底部材１４６を水平方向（具体的には、図３における左右方向）に移動させる第２駆動機構１４７とを有している。
【００４８】
また、図３および図４に示すように、筐体１１２の内部において入金一時保留部１４０の更に下方には、入金一時保留部１４０から送られたバラ硬貨を筐体１１２の外部に排出するための排出部１５０、入金一時保留部１４０から送られたバラ硬貨を金種毎に収納するとともに収納されているバラ硬貨を繰り出すことができる複数の収納繰出部１５２、入金一時保留部１４０の任意一時保留部１４２から送られたバラ硬貨を包装部１６０や後述する袋装着部に装着された貯留袋１７５に送るシュート機構１７０、および入金一時保留部１４０の任意一時保留部１４２から送られたバラ硬貨が収納されるバラ硬貨一括収納箱１９８（図１および図７参照、図３や図４では図示せず）がそれぞれ設けられている。
【００４９】
入金一時保留部１４０における金種別一時保留部１４４は、各金種別選別部１３６の分岐孔の真下かつ排出部１５０の真上の位置である第１位置と、各収納繰出部１５２の真上の位置である第２位置との間で図３における左右方向に移動可能となっている。また、底部材１４６は、第１位置にある金種別一時保留部１４４の底部の開口を塞ぐ第１位置と、第１位置にある金種別一時保留部１４４の底部の開口を開く第２位置との間で図３における左右方向に移動可能となっている。また、本実施の形態による硬貨入出金装置１１０が待機状態にあるときには金種別一時保留部１４４は第１位置に位置するとともに底部材１４６も第１位置に位置するようになる。ここで、金種別一時保留部１４４が第１位置に位置するとともに底部材１４６が第１位置に位置しているときには、各金種別選別部１３６の分岐孔に落とし込まれたバラ硬貨は金種別一時保留部１４４の各保留領域１４４ａ〜１４４ｆに金種毎に一時的に保留されるようになる。そして、金種別一時保留部１４４の各保留領域１４４ａ〜１４４ｆにバラ硬貨が一時的に保留されている状態から第１駆動機構１４５により金種別一時保留部１４４が第１位置から第２位置に移動させられると、金種別一時保留部１４４の各保留領域１４４ａ〜１４４ｆの底部に設けられた開口が開くことにより各保留領域１４４ａ〜１４４ｆからバラ硬貨が自重により落下して各収納繰出部１５２の収納領域１５２ａ〜１５２ｆ（後述）に金種毎に送られ、各収納繰出部１５２の収納領域１５２ａ〜１５２ｆに金種毎に収納されるようになる。一方、金種別一時保留部１４４の各保留領域１４４ａ〜１４４ｆにバラ硬貨が一時的に保留されている状態から第２駆動機構１４７により底部材１４６が第１位置から第２位置に移動させられると、金種別一時保留部１４４の各保留領域１４４ａ〜１４４ｆの底部に設けられた開口が開くことにより各保留領域１４４ａ〜１４４ｆからバラ硬貨が自重により落下して排出部１５０に送られ、この排出部１５０に金種混合状態で集積されるようになる。
【００５０】
また、入金一時保留部１４０における任意一時保留部１４２は、第１駆動機構１４５による当該任意一時保留部１４２の移動方向（具体的には、図３における左右方向）に沿って並ぶ第１保留領域および第２保留領域に区画されたものから構成されている。そして、金種別一時保留部１４４が第１位置に位置しているときには任意一時保留部１４２の第１保留領域が任意選別部１３４の分岐孔の真下に位置するとともに排出部１５０の真上に位置するようになる。なお、このときに底部材１４６が第１位置に位置しているときには任意一時保留部１４２の第１保留領域の底部の開口が当該底部材１４６により塞がれるようになり、任意選別部１３４の分岐孔に落とし込まれたバラ硬貨は任意一時保留部１４２の第１保留領域に一時的に保留されるようになる。また、金種別一時保留部１４４が第２位置に位置しているときには任意一時保留部１４２の第１保留領域がバラ硬貨一括収納箱１９８の真上に位置するようになっている。そして、任意一時保留部１４２の第１保留領域にバラ硬貨が一時的に保留されている状態から第１駆動機構１４５により金種別一時保留部１４４が第１位置から第２位置に移動させられると、任意一時保留部１４２の第１保留領域の底部に設けられた開口が開くことによりこの第１保留領域からバラ硬貨が自重により落下してバラ硬貨一括収納箱１９８に送られ、このバラ硬貨一括収納箱１９８に収納されるようになる。一方、任意一時保留部１４２の第１保留領域にバラ硬貨が一時的に保留されている状態から第２駆動機構１４７により底部材１４６が第１位置から第２位置に移動させられると、任意一時保留部１４２の第１保留領域の底部に設けられた開口が開くことによりこの第１保留領域からバラ硬貨が自重により落下して排出部１５０に送られ、当該排出部１５０に集積されるようになる。また、第１駆動機構１４５によって、入金一時保留部１４０における任意一時保留部１４２を、その第２保留領域が任意選別部１３４の分岐孔の真下に位置するような第３位置に移動させることができるようになっている。ここで、任意一時保留部１４２が第３位置に位置しているときには、任意選別部１３４の分岐孔に落とし込まれたバラ硬貨は任意一時保留部１４２の第２保留領域に送られた後、この第２保留領域を通過してシュート機構１７０の上部シュート１７２（後述）に送られるようになっている。
【００５１】
図４等に示すように、複数の収納繰出部１５２の各々は、それぞれ、５円、１円、５０円、１００円、１０円、５００円の各金種に対応する収納領域１５２ａ、１５２ｂ、１５２ｃ、１５２ｄ、１５２ｅ、１５２ｆを有しており、これらの収納領域１５２ａ〜１５２ｆにバラ硬貨が金種別に収納されるようになっている。より詳細には、各収納繰出部１５２の収納領域１５２ａ〜１５２ｆには、入金一時保留部１４０の金種別一時保留部１４４の各保留領域１４４ａ〜１４４ｆからバラ硬貨がそれぞれ送られるようになっている。また、各収納繰出部１５２において収納領域１５２ａ〜１５２ｆの底部には回転円盤等の硬貨繰出部１５２ｐがそれぞれ設けられており、各硬貨繰出部１５２ｐにより各収納繰出部１５２の収納領域１５２ａ〜１５２ｆからバラ硬貨が１枚ずつ繰り出されるようになっている。また、各収納繰出部１５２の下方には水平方向に延びるコンベア１５４が設けられており、各硬貨繰出部１５２ｐにより各収納繰出部１５２の収納領域１５２ａ〜１５２ｆから繰り出されたバラ硬貨はコンベア１５４により搬送されるようになっている。ここで、コンベア１５４には、当該コンベア１５４により搬送されるバラ硬貨の金種、真偽、正損、新旧、表裏、搬送状態等の識別を行う出金識別部１５５が設けられている。出金識別部１５５によるバラ硬貨の識別情報は後述する制御部３００に送られるようになっている。また、出金識別部１５５により識別されたバラ硬貨はコンベア１５４により出金用シュート１５８を介して出金箱１９０に送られるか、あるいは包装用シュート１５７を介して包装部１６０に送られるようになっている。
【００５２】
排出部１５０は、筐体１１２の前面から操作者が手前側に引き出し可能な返却箱１５０ａを有しており、入金一時保留部１４０における任意一時保留部１４２の第１保留領域や金種別一時保留部１４４の各保留領域１４４ａ〜１４４ｆから送られたバラ硬貨が金種混合状態で返却箱１５０ａに集積されるようになっている。
【００５３】
バラ硬貨一括収納箱１９８は、筐体１１２の前面から操作者が手前側に引き出し可能となっており、入金一時保留部１４０における任意一時保留部１４２の第１保留領域から送られたバラ硬貨が集積されるようになっている。
【００５４】
図４に示すように、シュート機構１７０は、入金一時保留部１４０における任意一時保留部１４２の第２保留領域から送られたバラ硬貨が通過する上部シュート１７２と、この上部シュート１７２から分岐した貯留用シュート１７４および包装用シュート１７６とを有しており、上部シュート１７２から貯留用シュート１７４や包装用シュート１７６への分岐箇所には分岐部材１７８が設けられている。ここで、上部シュート１７２から分岐部材１７８により包装用シュート１７６に分岐させられたバラ硬貨は包装部１６０に送られるようになっている。一方、図４に示すように、貯留用シュート１７４の下流側端部に位置する排出側開口１７４ａは筐体１１２の前面に開口するようになっており、この排出側開口１７４ａの近傍には、図４において二点鎖線で示すような貯留袋１７５を筐体１１２の前面に装着させる袋装着部（図示せず）が設けられている。そして、袋装着部に貯留袋１７５が装着されているときには、上部シュート１７２から分岐部材１７８により貯留用シュート１７４に分岐させられたバラ硬貨は排出側開口１７４ａから貯留袋１７５に送られてこの貯留袋１７５に貯留されるようになる。
【００５５】
出金箱１９０は、筐体１１２の前面から操作者が手前側に引き出し可能となっており、本実施の形態による硬貨入出金装置１１０においてバラ硬貨の出金処理が行われる際に、各収納繰出部１５２の収納領域１５２ａ〜１５２ｆから繰り出されたバラ硬貨がコンベア１５４により出金用シュート１５８を介して出金箱１９０に送られるようになっている。また、出金箱１９０には、操作者が当該出金箱１９０を筐体１１２の前面から手前側に引き出す際に把持される取っ手１９０ａが設けられており、このような取っ手１９０ａを操作者が把持することにより出金箱１９０を筐体１１２から容易に引き出すことができるようになっている。また、出金箱１９０には図示しないロック機構が設けられており、このロック機構により出金箱１９０は筐体１１２の内部にロックされるようになっている。一方、ロック機構によるロックが解除されると、操作者は出金箱１９０を筐体１１２の前面から手前側に引き出すことができるようになる。また、図３および図４に示すように、出金箱１９０の底部には開口が設けられているとともに、この開口はシャッタ部材１９２により選択的に閉じられるようになっている。また、筐体１１２の下部には、出金リジェクト箱１５６と、出金箱１９０の底部に設けられた開口から出金リジェクト箱１５６にバラ硬貨を送る出金リジェクト用シュート１９４がそれぞれ設けられている。そして、本実施の形態による硬貨入出金装置１１０においてバラ硬貨の出金処理が行われる際に、出金されるべきバラ硬貨の金種とは異なる金種のバラ硬貨が収納繰出部１５２の各収納領域１５２ａ〜１５２ｆから繰り出されて出金箱１９０に送られたり、収納繰出部１５２の各収納領域１５２ａ〜１５２ｆからのバラ硬貨の繰り出しエラーによって各収納領域１５２ａ〜１５２ｆから繰り出されたバラ硬貨の枚数が不確定となってしまったりした場合には、出金箱１９０の底部に設けられた開口がシャッタ部材１９２により開かれ、出金箱１９０に送られたバラ硬貨はこの出金箱１９０から出金リジェクト用シュート１９４を介して出金リジェクト箱１５６に送られるようになる。
【００５６】
包装部１６０は、シュート機構１７０の包装用シュート１７６や包装用シュート１５７により当該包装部１６０に送られたバラ硬貨が集積されるとともに集積されたバラ硬貨を１枚ずつ繰り出す集積部としての回転円盤１６２と、回転円盤１６２により繰り出されたバラ硬貨を搬送するコンベア１６３と、コンベア１６３により搬送されたバラ硬貨が積層状態で集積されるとともに集積された所定の枚数（例えば、５０枚）のバラ硬貨を紙やフィルム等の包装媒体により包装する包装機構１６８とを有している。ここで、包装機構１６８は上方から見て仮想の正三角形の各頂点に位置する３本の包装ローラ１６８ａを有しており、各包装ローラ１６８ａの間の包装領域において所定枚数重積した重積硬貨が包装媒体により包装されることにより包装硬貨が作成されるようになっている。図５に示すように、包装機構１６８により作成された包装硬貨はこの包装機構１６８から下方に排出されるようになっている。また、包装機構１６８の下方には包装硬貨用シュート１６５および横搬送部１６７が設けられており、包装機構１６８により作成された包装硬貨が当該包装機構１６８から下方に排出されると、この排出された包装硬貨は包装硬貨用シュート１６５を通って横搬送部１６７に送られ、この横搬送部１６７により包装硬貨搬送ユニット２１０に向かって搬送されるようになる。また、横搬送部１６７と包装硬貨搬送ユニット２１０との間には、横搬送部１６７から包装硬貨搬送ユニット２１０への包装硬貨の放出と放出規制とを切り換える切換部材１６９が設けられている。
【００５７】
また、図３等に示すように、包装部１６０においてコンベア１６３の下方には排出シュート１６４が設けられており、包装機構１６８により所定の枚数（例えば、５０枚）のバラ硬貨を包装する際に所定の枚数に満たない端数分のバラ硬貨はコンベア１６３から排出シュート１６４に送られてこの排出シュート１６４により出金リジェクト箱１５６に送られるようになっている。また、出金リジェクト箱１５６の近傍には、端数分のバラ硬貨を収納する端数硬貨収納箱１９７が設けられているとともに、この出金リジェクト箱１５６には、排出シュート１６４から送られた端数分のバラ硬貨を出金リジェクト箱１５６および端数硬貨収納箱１９７の何れかに分岐させる分岐部材１９６が設けられている。このような分岐部材１９６が設けられていることにより、コンベア１６３から排出シュート１６４に送られた端数分のバラ硬貨を出金リジェクト箱１５６および端数硬貨収納箱１９７のうち何れかに収納させることができるようになる。
【００５８】
図５に示すように、包装硬貨搬送ユニット２１０は、筐体１１２の内部における上部および下部にそれぞれ設けられた２つのプーリ２１２と、これらの２つのプーリ２１２に掛け渡された無端状の循環ベルト２１４と、２つのプーリ２１２のうち一方のプーリ２１２を回転駆動させることにより循環ベルト２１４を図５における時計回りの方向および反時計回りの方向に循環移動させる駆動モータ（図示せず）とを有している。また、図５に示すように、循環ベルト２１４には、包装硬貨搬送ユニット２１０により搬送されるべき包装硬貨が引っ掛けられる突起２１６が等間隔で複数設けられている。ここで、各突起２１６は、当該突起２１６と包装硬貨とが接する面が循環ベルト２１４の延びる方向（すなわち、図５における上下方向）に対して所定の角度（例えば、６０°）をなして傾斜する方向に当該循環ベルト２１４から突出して形成されている。このように各突起２１６が循環ベルト２１４の延びる方向に対して傾斜していることにより、突起２１６に引っ掛けられた包装硬貨はその自重により突起２１６上で循環ベルト２１４側に寄せられるようになる。そして、循環ベルト２１４が図５における反時計回りの方向に循環移動すると、包装硬貨は突起２１６に引っ掛けられた状態で（すなわち、突起２１６上で循環ベルト２１４側に寄せられた状態で）循環ベルト２１４の移動に合わせて図５における反時計回りの方向に沿って搬送されるようになる。また、本実施の形態では、循環ベルト２１４は、所定量だけ移動すると所定時間だけ停止し、その後再び所定量だけ移動するような動作が繰り返し行われる間欠移動を行うよう、駆動モータにより駆動させられるようになっている。
【００５９】
また、図５に示すように、筐体１１２の内部において包装硬貨搬送ユニット２１０の近傍には、包装硬貨の収納を行う包装硬貨収納ユニット２００が設けられている。ここで、包装硬貨収納ユニット２００は、同一金種の複数の包装硬貨を一列に収納する複数（図５に示す例では６つ）の収納トレイ２４０を有しており、各収納トレイ２４０には包装硬貨が金種別に収納されるようになっている。ここで、各収納トレイ２４０は水平方向に対して傾斜しており、収納トレイ２４０に収納されている包装硬貨は、包装硬貨搬送ユニット２１０に近い側である収納トレイ２４０の最前部に向かって転がるようになっている。また、各収納トレイ２４０は鉛直方向に沿って並ぶよう配置されている。また、各収納トレイ２４０に収納される包装硬貨の金種は収納トレイ２４０毎に予め設定されている。
【００６０】
また、各収納トレイ２４０は、図５に示す位置から包装硬貨搬送ユニット２１０に向かって（すなわち、図５における左方向に）移動可能となっており、各収納トレイ２４０が包装硬貨搬送ユニット２１０における循環ベルト２１４の近傍の位置まで進出したときに、各収納トレイ２４０に収納されている包装硬貨が循環ベルト２１４の突起２１６に１つずつ受け渡されるようになる。また、各収納トレイ２４０の前端部分（すなわち、図５における左端部分）と、包装硬貨搬送ユニット２１０との間には、各収納トレイ２４０に対応して複数のストッパ部分２０４ａが設けられたストッパ機構２０４が上下方向に移動可能に配置されている。このストッパ機構２０４が下降位置にあるときには、包装硬貨搬送ユニット２１０に向かって進出した収納トレイ２４０の最前部の包装硬貨にストッパ部分２０４ａが接触してこの最前部の包装硬貨が循環ベルト２１４の突起２１６に受け渡されないようになる。この場合には、循環ベルト２１４により搬送される包装硬貨が突起２１６から収納トレイ２４０の最前部に受け渡され、この収納トレイ２４０に収納されるようになる。一方、ストッパ機構２０４が上昇位置にあるときには、包装硬貨搬送ユニット２１０に向かって進出した収納トレイ２４０の最前部の包装硬貨にストッパ部分２０４ａが接触せず、この最前部の包装硬貨が循環ベルト２１４の突起２１６に受け渡されるようになる。
【００６１】
また、筐体１１２の前面において包装硬貨搬送ユニット２１０の前部域には、包装硬貨出金部２３０、包装硬貨一括収納箱２３２および包装硬貨投出部２３６がそれぞれ設けられている。また、包装硬貨出金部２３０、包装硬貨一括収納箱２３２および包装硬貨投出部２３６の各々に対応して、包装硬貨搬送ユニット２１０の循環ベルト２１４により搬送される包装硬貨を選択的に包装硬貨出金部２３０、包装硬貨一括収納箱２３２および包装硬貨投出部２３６にそれぞれ分岐させる分岐部材２１８、２１９、２２０が鉛直方向における上から順に設けられている。また、分岐部材２２０により包装硬貨搬送ユニット２１０から分岐させられた包装硬貨を包装硬貨投出部２３６に送る包装硬貨投出用シュート２３８が設けられている。ここで、図１に示すように、操作者は筐体１１２の前面から包装硬貨出金部２３０にアクセス可能となっており、分岐部材２１８により包装硬貨搬送ユニット２１０から分岐させられて包装硬貨出金部２３０に送られた包装硬貨を操作者は筐体１１２の外部に取り出すことができるようになっている。また、分岐部材２１９により包装硬貨搬送ユニット２１０から分岐させられて包装硬貨一括収納箱２３２に送られた包装硬貨は当該包装硬貨一括収納箱２３２に収納されるようになっている。なお、操作者は包装硬貨一括収納箱２３２を筐体１１２の外部に取り出すことによりこの包装硬貨一括収納箱２３２から包装硬貨を回収することができるようになる。また、図１に示すように、操作者は筐体１１２の前面から包装硬貨投出部２３６にアクセス可能となっており、分岐部材２２０により包装硬貨搬送ユニット２１０の循環ベルト２１４から分岐させられて包装硬貨投出用シュート２３８により包装硬貨投出部２３６に送られた包装硬貨を操作者は筐体１１２の外部に取り出すことができるようになっている（具体的には、包装硬貨投出部２３６の下方に箱状の容器を置いて、投出される包装硬貨をこの容器で受け入れるようになっている）。また、循環ベルト２１４を図５における時計回りの方向に循環移動させた場合には、横搬送部１６７により包装硬貨搬送ユニット２１０に送られた包装硬貨をすぐに包装硬貨投出用シュート２３８経由で包装硬貨投出部２３６に送ることができるようになる。
【００６２】
また、図１に示すように、筐体１１２の前面側における右側部分には開閉可能な前扉１１４が設けられており、当該前扉１１４を開くことにより筐体１１２内の包装硬貨収納ユニット２００にアクセスすることができるようになっている。より詳細には、前扉１１４には上述した包装硬貨出金部２３０、包装硬貨一括収納箱２３２、包装硬貨投出部２３６および包装硬貨搬送ユニット２１０が取り付けられており、前扉１１４を開いたときにはこれらの包装硬貨出金部２３０、包装硬貨一括収納箱２３２、包装硬貨投出部２３６および包装硬貨搬送ユニット２１０も前扉１１４と一体的に移動するようになっている。このことにより、操作者は前扉１１４を開くと包装硬貨収納ユニット２００にアクセスして収納トレイ２４０を取り出すことにより収納トレイ２４０に包装硬貨を収納したり収納トレイ２４０から包装硬貨を取り出したりすることができるようになっている。
【００６３】
また、図１に示すように、筐体１１２の前面側における左側部分にも開閉可能な前扉１１５が設けられている。また、筐体１１２の内部において前扉１１５の裏側には複数の引出ユニットが設けられており、操作者は前扉１１５を開くことにより各引出ユニットを筐体１１２の手前側に引き出すことができるようになっている。また、各引出ユニットにはロック機構２５０（図８参照）が設けられており、当該ロック機構２５０は対応する引出ユニットを筐体１１２の内部にロックするようになっている。
【００６４】
また、本実施の形態の貨幣入出金機１には、当該貨幣入出金機１の各構成部材の制御を行う制御部３００が設けられている。より詳細には、図８に示すように、制御部３００には、紙幣入出金装置１０の投入部１４、繰出部１６、搬送部１８、識別部２０、表裏反転部２２、入金一時保留部３０（具体的には、入金一時保留部３０に設けられたステージ３０ａの駆動機構（図示せず）や紙幣繰出繰入部３０ｂ）、混合バラ紙幣収納部３２（具体的には、混合バラ紙幣収納部３２に設けられたステージ３２ａの駆動機構（図示せず）や紙幣繰入部３２ｂ）、各金種別バラ紙幣収納部３４（具体的には、各金種別バラ紙幣収納部３４に設けられたステージ３４ａの駆動機構（図示せず）や紙幣繰出繰入部３４ｂ）、帯封部４２、アーム機構４４、帯封紙幣揚送部４６、帯封紙幣搬送部６０、判別部６２、各帯封紙幣収納部７０（具体的には、各帯封紙幣収納部７０に設けられたステージ７０ａの駆動機構（図示せず））、引出ユニット１３に設けられたロック機構５０、各シャッター２４ａ、４８ａを開閉させるシャッター駆動部２４ｂ、４８ｂ等がそれぞれ接続されている。そして、識別部２０によるバラ紙幣の識別結果に係る信号や判別部６２による帯封紙幣の金種の判別結果に係る情報等が制御部３００に送られるとともに、制御部３００は紙幣入出金装置１０の各構成部材に指令信号を送ることによりこれらの構成部材の動作を制御するようになっている。
【００６５】
また、図８に示すように、制御部３００には、硬貨入出金装置１１０の入金繰出部１２０、入金搬送部１２８、入金識別部１２９、各選別部１３０、１３４、１３６、入金一時保留部１４０、各収納繰出部１５２、コンベア１５４、出金識別部１５５、包装部１６０、包装硬貨収納ユニット２００、包装硬貨搬送ユニット２１０、各分岐部材２１８、２１９、２２０、ロック機構２５０等がそれぞれ接続されている。ここで、入金識別部１２９や出金識別部１５５によるバラ硬貨の識別情報はこれらの入金識別部１２９や出金識別部１５５から制御部３００に送られるようになっている。また、制御部３００は、硬貨入出金装置１１０の各構成部材に指令の信号を送ることによりこれらの構成部材の動作を制御するようになっている。
【００６６】
また、図８に示すように、制御部３００には、操作表示部３０２、印字部３０４、記憶部３０６および通信インターフェース部３０８がそれぞれ接続されている。図１に示すように、操作表示部３０２は、例えば硬貨入出金装置１１０の筐体１１２の上部に設けられたタッチパネル等からなり、紙幣入出金装置１０や硬貨入出金装置１１０における紙幣や硬貨の処理状況や、紙幣入出金装置１０や硬貨入出金装置１１０に収納されている紙幣や硬貨の在高等の情報を表示するようになっている。また、操作者はこの操作表示部３０２により制御部３００に様々な指令を入力することができるようになっている。また、図１に示すように、印字部３０４は、紙幣入出金装置１０や硬貨入出金装置１１０における紙幣や硬貨の処理状況や、紙幣入出金装置１０や硬貨入出金装置１１０に収納されている紙幣や硬貨の在高等の情報をレシート等に印刷するプリンタ等から構成されている。また、記憶部３０６は、紙幣入出金装置１０や硬貨入出金装置１１０における紙幣や硬貨の処理履歴や、紙幣入出金装置１０や硬貨入出金装置１１０に収納されている紙幣や硬貨の在高等の情報を記憶するようになっている。また、制御部３００は通信インターフェース部３０８を介して上位端末等の外部装置３１０に対して様々な信号の送受信を行うことができるようになっている。
【００６７】
また、本実施の形態による貨幣入出金機１では、各金種別バラ紙幣収納部３４や各収納繰出部１５２に収納されるバラ紙幣やバラ硬貨の金種毎のニアフル枚数やニアエンプティ枚数等の情報が記憶部３０６に記憶されている、具体的には、図９に示すような表におけるバラ紙幣やバラ硬貨の枚数の情報が記憶部３０６に記憶されるようになっている。ここで、ある金種別バラ紙幣収納部３４やある収納繰出部１５２に収納されるバラ紙幣やバラ硬貨の枚数がニアフル枚数以上になると、バラ紙幣やバラ硬貨の入金処理においてこれらの金種別バラ紙幣収納部３４や収納繰出部１５２にバラ紙幣やバラ硬貨をこれ以上収納させることができなくなり、以降に入金されたバラ紙幣やバラ硬貨は、オーバーフロー紙幣やオーバーフロー硬貨として混合バラ紙幣収納部３２やバラ硬貨一括収納箱１９８に収納されるようになる。また、ある金種別バラ紙幣収納部３４やある収納繰出部１５２に収納されるバラ紙幣やバラ硬貨の枚数がニアエンプティ枚数より少なくなると、バラ紙幣やバラ硬貨の出金処理においてこれらの金種別バラ紙幣収納部３４や収納繰出部１５２からバラ紙幣やバラ硬貨を繰り出すことができなくなる。なお、図９に示す表において、「第１収集開始枚数」「第２収集開始枚数」は、紙幣入出金装置１０や硬貨入出金装置１１０において後述する自動収集処理が開始されるような各金種別バラ紙幣収納部３４や各収納繰出部１５２における金種毎のバラ紙幣やバラ硬貨の枚数のことをいい、「収集終了枚数」は、紙幣入出金装置１０や硬貨入出金装置１１０において後述する自動収集処理が終了するような各金種別バラ紙幣収納部３４や各収納繰出部１５２における金種毎のバラ紙幣やバラ硬貨の枚数のことをいう。なお、図９に示すように、各金種において第２収集開始枚数は第１収集開始枚数よりも少ない値となっている。また、各金種において収集終了枚数は第２収集開始枚数よりも少ない値となっている。なお、二千円紙幣は、対応する金種別バラ紙幣収納部３４が設けられていないため、各枚数情報は設定されていない。
【００６８】
また、図８に示すように、制御部３００には、設定手段３２０および日時情報取得部３２２がそれぞれ接続されている。設定手段３２０は、上述した「第１収集開始枚数」「第２収集開始枚数」「収集終了枚数」を設定するようになっている。ここで、設定手段３２０による「第１収集開始枚数」「第２収集開始枚数」「収集終了枚数」の設定は、操作者が操作表示部３０２によりバラ紙幣やバラ硬貨の枚数に関する情報を入力することにより、あるいは、上位端末等の外部装置３１０から通信インターフェース部３０８を介して制御部３００に「第１収集開始枚数」「第２収集開始枚数」「収集終了枚数」に係る情報が送信されることにより行われるようになっている。また、日時情報取得部３２２は、例えば筐体１２、１１２内に設けられた時計等から構成されており、現在の日時に関する情報を取得するようになっている。
【００６９】
本実施の形態の貨幣入出金機１では、通常は紙幣入出金装置１０においてある金種別バラ紙幣収納部３４に収納されているバラ紙幣の枚数が記憶部３０６に記憶されている第１収集開始枚数以上になると、この金種別バラ紙幣収納部３４からバラ紙幣を整理一時保留部４０に送ることによって帯封部４２により帯封紙幣を作成し、作成された帯封紙幣を帯封紙幣収納部７０に収納させるような処理（すなわち、紙幣の自動収集処理）が行われるようになっている。また、硬貨入出金装置１１０においてある収納繰出部１５２に収納されているバラ硬貨の枚数が記憶部３０６に記憶されている第１収集開始枚数以上になると、この収納繰出部１５２からバラ硬貨を繰り出してコンベア１５４により包装部１６０に送り、包装部１６０に集積された所定枚数のバラ硬貨から当該包装部１６０により包装硬貨を作成し、作成された包装硬貨を包装硬貨収納ユニット２００の収納トレイ２４０に収納させるような処理（すなわち、硬貨の自動収集処理）が行われるようになっている。また、本実施の形態では、所定の条件が成立した場合には、金種別バラ紙幣収納部３４や収納繰出部１５２に収納されているバラ紙幣やバラ硬貨の枚数が第１収集開始枚数に達していなくても紙幣や硬貨の自動収集処理が行われるようになっている。なお、本実施の形態の貨幣入出金機１では、上述した自動収集処理は通常の入金処理や出金処理と並行して行うことができないようになっている。このような貨幣入出金機１における自動収集処理の詳細について以下に説明する。
【００７０】
まず、紙幣入出金装置１０において紙幣の自動収集処理が行われる際の動作について図１０に示すフローチャート、図１１に示すバラ紙幣や帯封紙幣の搬送経路および図１２に示す操作表示部３０２の表示画面を用いて説明する。
【００７１】
紙幣入出金装置１０において紙幣の自動収集処理を行うにあたり、まず、自動収集処理を実行可能な状態であるか否かが制御部３００において判断される（ＳＴＥＰ１）。具体的には、紙幣入出金装置１０が待機状態であり、かつ、各帯封紙幣収納部７０における帯封紙幣の収納スペースに空きがある場合に、自動収集処理を実行可能な状態であると制御部３００により判断される。一方、紙幣入出金装置１０においてバラ紙幣の入金処理や出金処理が行われていたり、自動収集処理が行われるべき紙幣の金種に対応する帯封紙幣収納部７０がフル状態またはニアフル状態であったりする場合には、自動収集処理を実行可能な状態ではないと制御部３００により判断される。
【００７２】
紙幣の自動収集処理を実行可能な状態であると制御部３００により判断されているときに（ＳＴＥＰ１の「ＹＥＳ」）、金種別バラ紙幣収納部３４に収納されているバラ紙幣の枚数が、記憶部３０６に記憶されている当該金種別バラ紙幣収納部３４に対応する金種の第１収集開始枚数以上である場合には（ＳＴＥＰ２の「ＹＥＳ」）、紙幣の自動収集処理が行われるようになる（ＳＴＥＰ５）。具体的には、収納されているバラ紙幣の枚数が第１収集開始枚数以上であるような金種別バラ紙幣収納部３４からバラ紙幣が搬送部１８に繰り出され、この繰り出されたバラ紙幣が搬送部１８により整理一時保留部４０に送られる。なお、金種別バラ紙幣収納部３４に収納されているバラ紙幣の枚数は、バラ紙幣の入金処理が行われる際に識別部２０による識別結果に基づいて制御部３００においてソフトカウントされるようになっている。そして、整理一時保留部４０に所定枚数（例えば、１００枚）のバラ紙幣が集積されると、帯封部４２により帯封紙幣が作成され、この作成された帯封紙幣が当該帯封紙幣の金種に対応する帯封紙幣収納部７０に収納されるようになる。このような紙幣の自動収集処理が行われるときのバラ紙幣および帯封紙幣の搬送経路を図１１（ａ）に示す。なお、２束以上の帯封紙幣を作成する場合は、２つの整理一時保留部４０を交互に使用することで、処理時間の短縮が図られる。
【００７３】
また、本実施の形態では、金種別バラ紙幣収納部３４に収納されているバラ紙幣の枚数が、記憶部３０６に記憶されている当該金種別バラ紙幣収納部３４に対応する金種の第１収集開始枚数より少ない場合でも（ＳＴＥＰ２の「ＮＯ」）、所定の条件が成立しているときには（ＳＴＥＰ３の「ＹＥＳ」）、紙幣の自動収集処理が行われるようになっていてもよい。具体的には、所定の条件が成立しているときに（ＳＴＥＰ３の「ＹＥＳ」）、金種別バラ紙幣収納部３４に収納されているバラ紙幣の枚数が、記憶部３０６に記憶されている当該金種別バラ紙幣収納部３４に対応する金種の第２収集開始枚数以上である場合には（ＳＴＥＰ４の「ＮＯ」）、自動収集処理が行われるようになる（ＳＴＥＰ５）。なお、所定の条件が成立していても（ＳＴＥＰ３の「ＹＥＳ」）、金種別バラ紙幣収納部３４に収納されているバラ紙幣の枚数が、記憶部３０６に記憶されている当該金種別バラ紙幣収納部３４に対応する金種の第２収集開始枚数よりも少ない場合には（ＳＴＥＰ４の「ＹＥＳ」）、自動収集処理は行われない。
【００７４】
所定の条件としては、様々な条件が挙げられる。例えば、操作者が操作表示部３０２により紙幣の強制帯封処理開始の指示を入力したり上位端末等の外部装置３１０から通信インターフェース部３０８を介して紙幣の強制帯封処理開始の指示が制御部３００に送られたりすることにより、制御部３００が紙幣の強制帯封処理開始の指示を受け付けたときに、所定の条件が成立するようになっていてもよい。あるいは、操作者が操作表示部３０２により貨幣入出金機１の締め処理の指示を入力したり上位端末等の外部装置３１０から通信インターフェース部３０８を介して貨幣入出金機１の締め処理の指示が制御部３００に送られたりすることにより、制御部３００が営業時間終了を示す指示を受け付けたときに、所定の条件が成立するようになっていてもよい。また、日時情報取得部３２２により取得された現在の日時が予め設定された所定の時刻（具体的には、例えば終業時刻や営業時間外の所定の時刻）となったときに、所定の条件が成立するようになっていてもよい。
【００７５】
紙幣入出金装置１０において紙幣の自動収集処理が行われる際に（ＳＴＥＰ５）、操作表示部３０２には金種別バラ紙幣収納部３４に収納されているバラ紙幣から帯封部４２により帯封紙幣を作成する旨を示すメッセージ等が表示される。具体的には、図１２に示すように、操作表示部３０２には金種別バラ紙幣収納部３４から繰り出されたバラ紙幣から帯封部４２により帯封紙幣を作成することを示す「自動収集中」というメッセージが表示されるようになる。また、紙幣入出金装置１０において紙幣の自動収集処理が行われる際に、帯封部４２により作成された帯封紙幣が帯封紙幣収納部７０に収納される度に、制御部３００において自動収集処理を実行可能な状態であるか否かが判断されるようになる（ＳＴＥＰ６）。具体的には、帯封部４２により作成された帯封紙幣が帯封紙幣収納部７０に送られることにより、自動収集処理が行われるべき紙幣の金種に対応する帯封紙幣収納部７０がフル状態またはニアフル状態になると、制御部３００において自動収集処理を実行可能な状態ではないと判断される（ＳＴＥＰ６の「ＮＯ」）。この場合には、紙幣入出金装置１０における紙幣の自動収集処理が終了する。また、紙幣の自動収集処理が行われる際に、金種別バラ紙幣収納部３４に収納されているバラ紙幣の枚数が、記憶部３０６に記憶されている当該金種別バラ紙幣収納部３４に対応する金種の収集終了枚数よりも少なくなると（ＳＴＥＰ７の「ＹＥＳ」）、紙幣入出金装置１０における紙幣の自動収集処理が終了する。すなわち、金種別バラ紙幣収納部３４に収納されているバラ紙幣の枚数が、記憶部３０６に記憶されている当該金種別バラ紙幣収納部３４に対応する金種の収集終了枚数よりも少なくなるまでは（ＳＴＥＰ７の「ＮＯ」）、紙幣の自動収集処理が継続的に行われるようになる。
【００７６】
なお、紙幣入出金装置１０において紙幣の自動収集処理が行われる際に、帯封部４２により作成された帯封紙幣が帯封紙幣収納部７０に収納される代わりに帯封紙幣投出部４８によって筐体１２の外部に投出されるようになっていてもよい。具体的には、帯封部４２により作成された帯封紙幣がアーム機構４４からステージ４６ａ上に受け渡された後（複数束の帯封紙幣がステージ４６ａ上に受け渡されてもよい）、ステージ４６ａが図２における上方向に移動することにより帯封紙幣投出部４８と同じ高さレベルに到達し、シャッター４８ａが開くと、操作者は帯封紙幣投出部４８の内部にアクセスしてステージ４６ａ上に集積されている帯封紙幣を筐体１２の外部に取り出すことができるようになる。なお、帯封紙幣投出部４８から帯封紙幣を筐体１２の外部に取り出した操作者は、この取り出された帯封紙幣を他の装置（例えば、現金管理装置）や金庫等に収納するようになる。紙幣の自動収集処理において帯封部４２により作成された帯封紙幣を帯封紙幣投出部４８によって筐体１２の外部に投出する場合のバラ紙幣および帯封紙幣の搬送経路を図１１（ｂ）に示す。
【００７７】
このように、本実施の形態による紙幣入出金装置１０では、所定の条件が成立した場合には、金種別バラ紙幣収納部３４に収納されているバラ紙幣の枚数が第１収集開始枚数に達していなくても紙幣の自動収集処理を行うことができるため、次の日の営業開始直後のように思いがけないタイミングに紙幣の自動収集処理が行われてしまい通常のバラ紙幣の入金処理や出金処理をしばらくの間行うことができなくなってしまうことを防止することができる。具体的には、例えば営業時間外に操作者が操作表示部３０２により紙幣の強制帯封処理開始の指示を入力したり上位端末等の外部装置３１０から通信インターフェース部３０８を介して紙幣の強制帯封処理開始の指示が制御部３００に送られたりすることにより、制御部３００が紙幣の強制帯封処理開始の指示を受け付けたときに、所定の条件が成立するようになるため、営業時間外に自動収集処理を行うことができるようになる。この場合には、自動収集処理が行われた紙幣の金種に対応する金種別バラ紙幣収納部３４に収納されているバラ紙幣の枚数を減らすことにより、次の日の営業開始直後のように思いがけないタイミングに金種別バラ紙幣収納部３４に収納されているバラ紙幣の枚数が第１収集開始枚数以上になってしまうことを防止することができる。
【００７８】
また、営業時間終了後に貨幣入出金機１の締め処理が行われるが、操作者が操作表示部３０２により貨幣入出金機１の締め処理の指示を入力したり上位端末等の外部装置３１０から通信インターフェース部３０８を介して貨幣入出金機１の締め処理の指示が制御部３００に送られたりすることにより、制御部３００が営業時間終了を示す指示を受け付けたときに、所定の条件が成立するようになるため、営業時間外に第２収集開始枚数に基づく自動収集処理を行うことができるようになる。この場合にも、自動収集処理が行われた紙幣の金種に対応する金種別バラ紙幣収納部３４に収納されているバラ紙幣の枚数を減らすことにより、次の日の営業開始直後のように思いがけないタイミングに金種別バラ紙幣収納部３４に収納されているバラ紙幣の枚数が第１収集開始枚数以上になってしまうことを防止することができる。
【００７９】
また、日時情報取得部３２２により取得された現在の日時が予め設定された所定の時刻（具体的には、例えば終業時刻や営業時間外の所定の時刻）となったときに、所定の条件が成立するようにした場合には、営業時間外に第２収集開始枚数に基づく自動収集処理を行うことができるようになる。具体的には、例えば所定の時刻を深夜の時刻とすることにより、深夜に自動収集処理を行うことができるようになる。また、自動収集処理が行われる間にバラ紙幣や帯封紙幣の詰まり等のエラーが発生してしまうことを考慮して、所定の時刻を明け方の時刻（例えば、午前６時）としてもよい。この場合には、自動収集処理が行われる間にバラ紙幣や帯封紙幣の詰まり等のエラーが発生しても、しばらくすると操作者が出社するようになるため、紙幣入出金装置１０において発生したエラーが長期間放置されることを防止することができる。このように、日時情報取得部３２２により取得された現在の日時が予め設定された所定の時刻となったときに、所定の条件が成立するようにした場合にも、自動収集処理が行われた紙幣の金種に対応する金種別バラ紙幣収納部３４に収納されているバラ紙幣の枚数を減らすことにより、次の日の営業開始直後のように思いがけないタイミングに金種別バラ紙幣収納部３４に収納されているバラ紙幣の枚数が第１収集開始枚数以上になってしまうことを防止することができる。なお、所定の時刻として、営業時間中の閑散期（昼休み等）を設定するようにしてもよい。
【００８０】
なお、本実施の形態による紙幣入出金装置１０において、図１３に示すように、各金種別バラ紙幣収納部３４にフル検知センサ８０、第１収集開始枚数検知センサ８２、第２収集開始枚数検知センサ８４、収集終了枚数検知センサ８６および残留検知センサ８８が設けられていてもよい。ここで、フル検知センサ８０は、金種別バラ紙幣収納部３４がフル状態となるようなバラ紙幣を検知するようになっており、第１収集開始枚数検知センサ８２は、金種別バラ紙幣収納部３４に収納されるバラ紙幣の枚数が第１収集開始枚数となるようなバラ紙幣を検知するようになっており、第２収集開始枚数検知センサ８４は、金種別バラ紙幣収納部３４に収納されるバラ紙幣の枚数が第１収集開始枚数よりも少ない第２収集開始枚数となるようなバラ紙幣を検知するようになっている。また、収集終了枚数検知センサ８６は、金種別バラ紙幣収納部３４に収納されるバラ紙幣の枚数が収集終了枚数となるようなバラ紙幣を検知するようになっており、残留検知センサ８８は、金種別バラ紙幣収納部３４に１枚でもバラ紙幣が収納されている場合にこのバラ紙幣を検知するようになっている。このように、各金種別バラ紙幣収納部３４に各種センサ８０、８２、８４、８６、８８が設けられている場合には、紙幣入出金装置１０において自動収集処理を行うにあたり、金種別バラ紙幣収納部３４に収納されているバラ紙幣の枚数が第１収集開始枚数以上であるか否か、第２収集開始枚数以上であるか否か、および収集終了枚数より少なくなったか否かを、制御部３００においてソフトカウントされた値ではなく、第１収集開始枚数検知センサ８２、第２収集開始枚数検知センサ８４および収集終了枚数検知センサ８６による検知結果に基づいて判断してもよい。具体的には、図１３に示すような各種センサ８０、８２、８４、８６、８８が各金種別バラ紙幣収納部３４に設けられている紙幣入出金装置１０において、金種別バラ紙幣収納部３４に収納されているバラ紙幣が第１収集開始枚数検知センサ８２により検知されると、紙幣の自動収集処理が行われるようになる。また、上述した所定の条件が成立した場合には、金種別バラ紙幣収納部３４に収納されているバラ紙幣が第１収集開始枚数検知センサ８２により検知されていなくても第２収集開始枚数検知センサ８４により検知されている場合には紙幣の自動収集処理が行われるようになる。また、金種別バラ紙幣収納部３４に収納されているバラ紙幣が収集終了枚数検知センサ８６により検知されなくなると紙幣の自動収集処理が終了する。このように各センサ８２、８４、８６を用いた方式であれば、運用中にジャム解除等のために金種別バラ紙幣収納部３４が開閉された場合であっても（この場合にはソフトカウントされた値はあてにならなくなる）、第１収集開始枚数や第２収集開始枚数、収集終了枚数等を正確に検知できる。
【００８１】
次に、硬貨入出金装置１１０において硬貨の自動収集処理が行われる際の動作について説明する。
【００８２】
硬貨入出金装置１１０において硬貨の自動収集処理を行うにあたり、まず、自動収集処理を実行可能な状態であるか否かが制御部３００において判断される。具体的には、硬貨入出金装置１１０が待機状態であり、かつ、包装硬貨収納ユニット２００の各収納トレイ２４０における包装硬貨の収納スペースに空きがある場合に、自動収集処理を実行可能な状態であると制御部３００により判断される。一方、硬貨入出金装置１１０においてバラ硬貨の入金処理や出金処理が行われていたり、自動収集処理が行われるべき硬貨の金種に対応する収納トレイ２４０がフル状態またはニアフル状態であったりする場合には、自動収集処理を実行可能な状態ではないと制御部３００により判断される。
【００８３】
硬貨の自動収集処理を実行可能な状態であると制御部３００により判断されているときに、収納繰出部１５２に収納されているバラ硬貨の枚数が、記憶部３０６に記憶されている当該収納繰出部１５２に対応する金種の第１収集開始枚数以上である場合には、硬貨の自動収集処理が行われるようになる。具体的には、収納されているバラ硬貨の枚数が第１収集開始枚数以上であるような収納繰出部１５２からバラ硬貨が繰り出されてコンベア１５４により包装部１６０に送られ、包装部１６０に集積された所定枚数のバラ硬貨から当該包装部１６０により包装硬貨が作成され、作成された包装硬貨が包装硬貨収納ユニット２００の収納トレイ２４０に収納されるようになる。なお、収納繰出部１５２に収納されているバラ硬貨の枚数は、バラ硬貨の入金処理が行われる際に入金識別部１２９による識別結果に基づいて制御部３００においてソフトカウントされるようになっている。
【００８４】
また、本実施の形態では、収納繰出部１５２に収納されているバラ硬貨の枚数が、記憶部３０６に記憶されている当該金種別バラ紙幣収納部３４に対応する金種の第１収集開始枚数より少ない場合でも、所定の条件が成立しているときには、硬貨の自動収集処理が行われるようになっていてもよい。具体的には、所定の条件が成立しているときに、収納繰出部１５２に収納されているバラ硬貨の枚数が、記憶部３０６に記憶されている当該収納繰出部１５２に対応する金種の第２収集開始枚数以上である場合には、自動収集処理が行われるようになる。なお、所定の条件が成立していても、収納繰出部１５２に収納されているバラ硬貨の枚数が、記憶部３０６に記憶されている当該収納繰出部１５２に対応する金種の第２収集開始枚数よりも少ない場合には、自動収集処理は行われない。
【００８５】
所定の条件としては、様々な条件が挙げられる。例えば、操作者が操作表示部３０２により硬貨の強制包装処理開始の指示を入力したり上位端末等の外部装置３１０から通信インターフェース部３０８を介して硬貨の強制包装処理開始の指示が制御部３００に送られたりすることにより、制御部３００が硬貨の強制包装処理開始の指示を受け付けたときに、所定の条件が成立するようになっていてもよい。あるいは、上述したように、操作者が操作表示部３０２により貨幣入出金機１の締め処理の指示を入力したり上位端末等の外部装置３１０から通信インターフェース部３０８を介して貨幣入出金機１の締め処理の指示が制御部３００に送られたりすることにより、制御部３００が営業時間終了を示す指示を受け付けたときに、所定の条件が成立するようになっていてもよい。また、上述したように、日時情報取得部３２２により取得された現在の日時が予め設定された所定の時刻（具体的には、例えば終業時刻や営業時間外の所定の時刻）となったときに、所定の条件が成立するようになっていてもよい。
【００８６】
硬貨入出金装置１１０において硬貨の自動収集処理が行われる際に、操作表示部３０２には収納繰出部１５２に収納されているバラ硬貨から包装部１６０により包装硬貨を作成する旨を示すメッセージ等が表示される。具体的には、操作表示部３０２には収納繰出部１５２から繰り出されたバラ硬貨から包装部１６０により包装硬貨を作成することを示す「自動収集中」というメッセージが表示されるようになる。また、硬貨入出金装置１１０において硬貨の自動収集処理が行われる際に、包装部１６０により作成された包装硬貨が包装硬貨収納ユニット２００の収納トレイ２４０に収納される度に、制御部３００において自動収集処理を実行可能な状態であるか否かが判断されるようになる。具体的には、包装部１６０により作成された包装硬貨が収納トレイ２４０に送られることにより、自動収集処理が行われるべき硬貨の金種に対応する収納トレイ２４０がフル状態またはニアフル状態になると、制御部３００において自動収集処理を実行可能な状態ではないと判断される。この場合には、硬貨入出金装置１１０における硬貨の自動収集処理が終了する。また、硬貨の自動収集処理が行われる際に、収納繰出部１５２に収納されているバラ硬貨の枚数が、記憶部３０６に記憶されている当該収納繰出部１５２に対応する金種の収集終了枚数よりも少なくなると、硬貨入出金装置１１０における硬貨の自動収集処理が終了する。すなわち、収納繰出部１５２に収納されているバラ硬貨の枚数が、記憶部３０６に記憶されている当該収納繰出部１５２に対応する金種の収集終了枚数よりも少なくなるまでは、硬貨の自動収集処理が継続的に行われるようになる。
【００８７】
なお、硬貨入出金装置１１０において硬貨の自動収集処理が行われる際に、包装部１６０により作成された包装硬貨が包装硬貨収納ユニット２００の収納トレイ２４０に収納される代わりに包装硬貨出金部２３０や包装硬貨投出部２３６によって筐体１１２の外部に投出されるようになっていてもよい。
【００８８】
このように、本実施の形態による硬貨入出金装置１１０では、所定の条件が成立した場合には、収納繰出部１５２に収納されているバラ硬貨の枚数が第１収集開始枚数に達していなくても硬貨の自動収集処理を行うことができるため、次の日の営業開始直後のように思いがけないタイミングに硬貨の自動収集処理が行われてしまい通常のバラ硬貨の入金処理や出金処理をしばらくの間行うことができなくなってしまうことを防止することができる。具体的には、所定の条件が成立した場合には、硬貨入出金装置１１０において例えば営業時間外に硬貨の自動収集処理が行われるため、自動収集処理が行われた硬貨の金種に対応する収納繰出部１５２に収納されているバラ硬貨の枚数を減らすことにより、次の日の営業開始直後のように思いがけないタイミングに収納繰出部１５２に収納されているバラ硬貨の枚数が第１収集開始枚数以上になってしまうことを防止することができる。
【００８９】
以上のような構成からなる本実施の形態による貨幣入出金機１によれば、バラ貨幣を収納するとともに収納されているバラ貨幣を繰出可能なバラ貨幣収納部、およびバラ貨幣収納部から送られた複数のバラ貨幣を包装することにより包装貨幣を作成するような包装処理を行う包装貨幣作成部がそれぞれ設けられており、制御部３００は、バラ貨幣収納部におけるバラ貨幣の収納量が所定の包装処理開始量（具体的には、第１収集開始枚数）以上である場合に（図１０におけるＳＴＥＰ２の「ＹＥＳ」）バラ貨幣収納部から包装貨幣作成部にバラ貨幣を送って当該包装貨幣作成部で包装処理を行い（ＳＴＥＰ５）、所定の条件が成立した場合には（ＳＴＥＰ３の「ＹＥＳ」）バラ貨幣収納部におけるバラ貨幣の収納量が所定の包装処理開始量に達していなくてもバラ貨幣収納部から包装貨幣作成部にバラ貨幣を送って当該包装貨幣作成部で包装処理を行うよう（ＳＴＥＰ５）、紙幣入出金装置１０や硬貨入出金装置１１０の各構成部材の制御を行うようになっている。ここで、特許請求の範囲における「包装貨幣」は、帯封紙幣および包装硬貨の両方を含む概念のものであり、「包装貨幣作成部」は、帯封部４２および包装部１６０の両方を含む概念のものであり、「包装処理」は、紙幣の帯封処理および硬貨の包装処理の両方を含む概念のものとなっている。また、特許請求の範囲における「バラ貨幣収納部」は、紙幣入出金装置１０では金種別バラ紙幣収納部３４に対応し、硬貨入出金装置１１０では収納繰出部１５２に対応している。上記の技術的事項によれば、所定の条件が成立した場合にはバラ貨幣収納部におけるバラ貨幣の収納量が所定の包装処理開始量に達していなくてもバラ貨幣収納部から包装貨幣作成部にバラ貨幣を送って当該包装貨幣作成部で包装処理を行うことにより、例えば営業時間外に自動収集処理を行うことができるようになるため、次の日の営業開始直後のように思いがけないタイミングに自動収集処理が行われてしまい通常の入金処理や出金処理をしばらくの間行うことができなくなってしまうことを防止することができる。
【００９０】
より詳細には、従来の貨幣入出金機では、当該貨幣入出金機が設置されている店舗等の営業終了後に、あるバラ貨幣収納部に収納されているバラ貨幣の枚数が自動収集開始枚数よりもわずかに少なかった場合には自動収集処理が実行されない。しかしながら、このような場合において次の日の営業開始直後にバラ貨幣の入金処理が行われてバラ貨幣収納部に収納されているバラ貨幣の枚数が自動収集開始枚数に達すると、自動収集処理が開始されることとなり、営業開始直後にもかかわらず通常の入金処理や出金処理をしばらくの間行うことができなくなってしまい、その間操作者を待たせてしまうという問題がある。自動収集処理を通常の入金処理や出金処理と並行して行うことができないからである。これに対し、本実施の形態による貨幣入出金機１では、所定の条件が成立した場合にはバラ貨幣収納部におけるバラ貨幣の収納量が所定の包装処理開始量（具体的には、第１収集開始枚数）に達していなくてもバラ貨幣収納部から包装貨幣作成部にバラ貨幣を送って当該包装貨幣作成部で包装処理を行うことにより、例えば営業時間外に自動収集処理を行うことができるようになるため、上述した従来の貨幣入出金機の問題点を解消することができるようになる。
【００９１】
また、本実施の形態による貨幣入出金機１においては、上述したように、所定の条件は、制御部３００が強制包装処理開始の指示（具体的には、紙幣の自動収集処理の場合は紙幣の強制帯封処理開始の指示、硬貨の自動収集処理の場合は硬貨の強制包装処理開始の指示）を受け付けたときであってもよい。この場合には、例えば営業時間外に操作者が操作表示部３０２により強制包装処理開始の指示を入力したり上位端末等の外部装置３１０から通信インターフェース部３０８を介して強制包装処理開始の指示が制御部３００に送られたりすることにより、制御部３００が強制包装処理開始の指示を受け付けたときに、所定の条件が成立するようになるため、営業時間外に自動収集処理を行うことができるようになる。このことにより、自動収集処理が行われた紙幣や硬貨の金種に対応する金種別バラ紙幣収納部３４や収納繰出部１５２に収納されているバラ紙幣やバラ硬貨の枚数を減らすことにより、次の日の営業開始直後のように思いがけないタイミングに金種別バラ紙幣収納部３４や収納繰出部１５２に収納されているバラ紙幣やバラ硬貨の枚数が第１収集開始枚数以上になってしまうことを防止することができる。
【００９２】
また、本実施の形態による貨幣入出金機１においては、上述したように、所定の条件は、制御部３００が営業時間終了を示す指示を受け付けたときであってもよい。具体的には、営業時間終了時に貨幣入出金機１の締め処理が行われるが、操作者が操作表示部３０２により貨幣入出金機１の締め処理の指示を入力したり上位端末等の外部装置３１０から通信インターフェース部３０８を介して貨幣入出金機１の締め処理の指示が制御部３００に送られたりすることにより、制御部３００が営業時間終了を示す指示を受け付けたときに、所定の条件が成立するようになるため、営業時間外に自動収集処理を行うことができるようになる。この場合にも、自動収集処理が行われた紙幣や硬貨の金種に対応する金種別バラ紙幣収納部３４や収納繰出部１５２に収納されているバラ紙幣やバラ硬貨の枚数を減らすことにより、次の日の営業開始直後のように思いがけないタイミングに金種別バラ紙幣収納部３４や収納繰出部１５２に収納されているバラ紙幣やバラ硬貨の枚数が第１収集開始枚数以上になってしまうことを防止することができる。
【００９３】
また、本実施の形態による貨幣入出金機１においては、上述したように、所定の条件は、予め設定された所定の時刻となったときであってもよい。具体的には、日時情報取得部３２２により取得された現在の日時が予め設定された所定の時刻（具体的には、例えば終業時刻や営業時間外の所定の時刻）となったときに、所定の条件が成立するようになっていてもよい。この場合には、例えば所定の時刻を深夜の時刻とすることにより、深夜に自動収集処理を行うことができるようになる。また、自動収集処理が行われる間に貨幣の詰まり等のエラーが発生してしまうことを考慮して、所定の時刻を明け方の時刻（例えば、午前６時）としてもよい。このように、予め設定された所定の時刻となったときに所定の条件が成立するようにした場合にも、自動収集処理が行われた紙幣や硬貨の金種に対応する金種別バラ紙幣収納部３４や収納繰出部１５２に収納されているバラ紙幣やバラ硬貨の枚数を減らすことにより、次の日の営業開始直後のように思いがけないタイミングに金種別バラ紙幣収納部３４や収納繰出部１５２に収納されているバラ紙幣やバラ硬貨の枚数が第１収集開始枚数以上になってしまうことを防止することができる。
【００９４】
また、本実施の形態による貨幣入出金機１においては、上述したように、制御部３００は、バラ貨幣収納部におけるバラ貨幣の収納量が、所定の包装処理開始量（具体的には、第１収集開始枚数）よりも少ない第２包装処理開始量（具体的には、第２収集開始枚数）に達していない場合には（図１０におけるＳＴＥＰ４の「ＹＥＳ」）、所定の条件が成立してもバラ貨幣収納部から包装貨幣作成部にバラ貨幣を送らないよう紙幣入出金装置１０や硬貨入出金装置１１０の各構成部材の制御を行うようになっていてもよい。この場合には、金種別バラ紙幣収納部３４や収納繰出部１５２に収納されているバラ紙幣やバラ硬貨の枚数が第１収集開始枚数より十分に少ない場合でも自動収集処理が例えば営業時間外に行われてしまうことを防止することができる。すなわち、次の日の営業開始直後のように思いがけないタイミングに自動収集処理が行われてしまう可能性が低い場合でも自動収集処理が例えば営業時間外に行われてしまうことを防止することができる。
【００９５】
なお、上記の説明では、金種別バラ紙幣収納部３４や収納繰出部１５２におけるバラ紙幣やバラ硬貨の収納枚数が第２収集開始枚数よりも少ない場合には所定の条件が成立しても紙幣や硬貨の自動収集処理が行われないような態様について述べたが、本実施の形態による貨幣入出金機１はこのような態様に限定されることはない。図１４に示すフローチャートのように、変形例に係る貨幣入出金機１において、金種別バラ紙幣収納部３４や収納繰出部１５２におけるバラ紙幣やバラ硬貨の収納枚数が第１収集開始枚数よりも少ない場合において所定の条件が成立すると（ＳＴＥＰ３の「ＹＥＳ」）、これらのバラ紙幣やバラ硬貨の収納枚数が第２収集開始枚数よりも少ない場合でも、収集終了枚数以上である場合には（ＳＴＥＰ４´の「ＮＯ」）、自動収集処理が行われるようになっていてもよい（ＳＴＥＰ５）。なお、図１４に示すフローチャートでは変形例に係る紙幣入出金装置１０において紙幣の自動収集処理が行われる際の動作を示しているが、変形例に係る硬貨入出金装置１１０において硬貨の自動収集処理が行われる場合でも図１４に示すフローチャートと同様の動作が行われるようになっている。
【００９６】
また、本実施の形態による貨幣入出金機１においては、上述したように、包装処理開始量（具体的には、第１収集開始枚数）を設定するための設定手段３２０が設けられている。この場合には、操作者が操作表示部３０２を用いて第１収集開始枚数を入力することにより、あるいは、上位端末等の外部装置３１０から通信インターフェース部３０８を介して制御部３００に第１収集開始枚数に係る情報が送信されることにより、第１収集開始枚数を自在に設定することができるようになる。なお、上述したように、設定手段３２０は第１収集開始枚数のみならず第２収集開始枚数や収集終了枚数の設定も行うことができるようになっている。
【００９７】
また、本実施の形態による貨幣入出金機１においては、上述したように、紙幣入出金装置１０において各金種別バラ紙幣収納部３４には当該金種別バラ紙幣収納部３４に収納されるバラ紙幣の量が包装処理開始量（具体的には、第１収集開始枚数）に達したときにこのことを検知する検知部（具体的には、第１収集開始枚数検知センサ８２）が設けられていてもよい。また、金種別バラ紙幣収納部３４に収納されるバラ紙幣の量が第２包装処理開始量（具体的には、第２収集開始枚数）に達したときにこのことを検知する第２検知部（具体的には、第２収集開始枚数検知センサ８４）も各金種別バラ紙幣収納部３４に設けられていてもよい。この場合には、紙幣入出金装置１０において自動収集処理を行うにあたり、金種別バラ紙幣収納部３４に収納されているバラ紙幣の枚数が第１収集開始枚数以上であるか否か、および第２収集開始枚数以上であるか否かを、制御部３００においてソフトカウントされた値を用いなくても、第１収集開始枚数検知センサ８２および第２収集開始枚数検知センサ８４による検知結果に基づいて判断することができるようになる。
【００９８】
なお、本実施の形態による貨幣入出金機１やこのような貨幣入出金機１による貨幣処理方法は、上述したような態様に限定されることはなく、様々な変更を加えることができる。
【００９９】
例えば、本発明に係る貨幣処理装置は、紙幣入出金装置１０および硬貨入出金装置１１０を組み合わせた貨幣入出金機１に限定されることはない。本発明に係る貨幣処理装置として、紙幣入出金装置１０が単体で用いられてもよく、あるいは硬貨入出金装置１１０が単体で用いられてもよい。
【０１００】
また、上述した貨幣入出金機１および上位端末等の外部装置３１０を組み合わせることにより本発明に係る貨幣処理システムが構成されるようになっていてもよい。この場合には、上位端末等の外部装置３１０は、貨幣入出金機１の管理を行う管理装置として機能するようになる。また、上記の説明では、所定の条件が成立した場合にはバラ貨幣収納部（具体的には、金種別バラ紙幣収納部３４や収納繰出部１５２）におけるバラ貨幣の収納量が所定の包装処理開始量（具体的には、第１収集開始枚数）に達していなくてもバラ貨幣収納部から包装貨幣作成部（具体的には、帯封部４２や包装部１６０）にバラ貨幣を送って当該包装貨幣作成部で包装処理を行うよう制御部３００が紙幣入出金装置１０や硬貨入出金装置１１０の各構成部材の制御を行う態様について述べたが、制御部３００が紙幣入出金装置１０や硬貨入出金装置１１０の各構成部材を制御する代わりに管理装置としての外部装置３１０から貨幣入出金機１の各構成部材に指令が直接送られることによりこのような動作が行われるようになっていてもよい。すなわち、所定の条件が成立した場合にはバラ貨幣収納部におけるバラ貨幣の収納量が所定の包装処理開始量に達していなくてもバラ貨幣収納部から包装貨幣作成部にバラ貨幣を送って当該包装貨幣作成部で包装処理を行うよう紙幣入出金装置１０や硬貨入出金装置１１０の各構成部材の制御を行う制御部が、上位端末等の外部装置３１０に設けられていてもよい。
【０１０１】
また、所定の操作者に対して所定の端末（例えば、携帯電話やスマートフォン、タブレット端末等）が予め割り当てられており、操作者は強制包装処理開始の指示（具体的には、紙幣の自動収集処理の場合は紙幣の強制帯封処理開始の指示、硬貨の自動収集処理の場合は硬貨の強制包装処理開始の指示）や営業時間終了を示す指示（具体的には、締め処理の指示）をこのような端末により入力することができるようになっていてもよい。この場合には、制御部３００は、操作者が保持する端末から送信された指示に基づいて、強制包装処理開始の指示や営業時間終了を示す指示を受け付けるようになる。
【符号の説明】
【０１０２】
１        貨幣入出金機
１０      紙幣入出金装置
１２      筐体
１２ａ    下部扉
１３      引出ユニット
１４      投入部
１６      繰出部
１８      搬送部
２０      識別部
２２      表裏反転部
２４      バラ紙幣投出部
２４ａ    シャッター
２４ｂ    シャッター駆動部
２６      出金リジェクト部
３０      入金一時保留部
３０ａ    ステージ
３０ｂ    紙幣繰出繰入部
３２      混合バラ紙幣収納部
３２ａ    ステージ
３２ｂ    紙幣繰入部
３４      金種別バラ紙幣収納部
３４ａ    ステージ
３４ｂ    紙幣繰出繰入部
４０      整理一時保留部
４２      帯封部
４４      アーム機構
４６      帯封紙幣揚送部
４６ａ    ステージ
４８      帯封紙幣投出部
４８ａ    シャッター
４８ｂ    シャッター駆動部
５０      ロック機構
６０      帯封紙幣搬送部
６０ａ    突起
６０ｂ    循環ベルト
６２      判別部
７０      帯封紙幣収納部
７０ａ    ステージ
８０      フル検知センサ
８２      第１収集開始枚数検知センサ
８４      第２収集開始枚数検知センサ
８６      収集終了枚数検知センサ
８８      残留検知センサ
１１０    硬貨入出金装置
１１２    筐体
１１４、１１５  前扉
１２０    入金繰出部
１２１    硬貨投入口
１２２    供給円盤
１２４    回転円盤
１２６    繰出機構
１２８    入金搬送部
１２９    入金識別部
１３０    リジェクト選別部
１３１    入金リジェクト用シュート
１３４    任意選別部
１３６    金種別選別部
１３６ａ  ５円硬貨選別部
１３６ｂ  １円硬貨選別部
１３６ｃ  ５０円硬貨選別部
１３６ｄ  １００円硬貨選別部
１３６ｅ  １０円硬貨選別部
１３６ｆ  ５００円硬貨選別部
１３８    入金リジェクト部
１４０    入金一時保留部
１４２    任意一時保留部
１４４    金種別一時保留部
１４４ａ〜１４４ｆ  保留領域
１４５    第１駆動機構
１４６    底部材
１４７    第２駆動機構
１５０    排出部
１５０ａ  返却箱
１５２    収納繰出部
１５２ａ〜１５２ｆ  収納領域
１５２ｐ  硬貨繰出部
１５４    コンベア
１５５    出金識別部
１５６    出金リジェクト箱
１５７    包装用シュート
１５８    出金用シュート
１６０    包装部
１６２    回転円盤
１６３    コンベア
１６４    排出シュート
１６５    包装硬貨用シュート
１６７    横搬送部
１６８    包装機構
１６８ａ  包装ローラ
１６９    切換部材
１７０    シュート機構
１７２    上部シュート
１７４    貯留用シュート
１７４ａ  排出側開口
１７５    貯留袋
１７６    包装用シュート
１７８    分岐部材
１９０    出金箱
１９０ａ  取っ手
１９２    シャッタ部材
１９４    出金リジェクト用シュート
１９６    分岐部材
１９７    端数硬貨収納箱
１９８    バラ硬貨一括収納箱
２００    包装硬貨収納ユニット
２０４    ストッパ機構
２０４ａ  ストッパ部分
２１０    包装硬貨搬送ユニット
２１２    プーリ
２１４    循環ベルト
２１６    突起
２１８、２１９、２２０  分岐部材
２３０    包装硬貨出金部
２３２    包装硬貨一括収納箱
２３６    包装硬貨投出部
２３８    包装硬貨投出用シュート
２４０    収納トレイ
２５０    ロック機構
３００    制御部
３０２    操作表示部
３０４    印字部
３０６    記憶部
３０８    通信インターフェース部
３１０    外部装置
３２０    設定手段
３２２    日時情報取得部
【図１】
2017129955.tif 000003
【図２】
2017129955.tif 000004
【図３】
2017129955.tif 000005
【図４】
2017129955.tif 000006
【図５】
2017129955.tif 000007
【図６】
2017129955.tif 000008
【図７】
2017129955.tif 000009
【図８】
2017129955.tif 000010
【図９】
2017129955.tif 000011
【図１０】
2017129955.tif 000012
【図１１】
2017129955.tif 000013
【図１２】
2017129955.tif 000014
【図１３】
2017129955.tif 000015
【図１４】
2017129955.tif 000016